(57)【要約】【課題】弾性部材による伸縮構造の製造を容易にする。【解決手段】上記課題は、第１シート層１２Ｓ及び第２シート層１２Ｈの間に設けられた弾性部材１９とを備えた伸縮構造において、伸縮構造の伸縮方向の一端から他端まで、伸縮領域２２及び非伸縮領域２１が交互に３領域以上繰り返し、かつ伸縮方向の両端が伸縮領域２２となっており、伸縮領域２２の伸縮方向の両端部に、弾性部材１９が第１シート層１２Ｓ及び第２シート層１２Ｈに接着されたホットメルト接着剤７１の接着領域を有し、展開状態で、伸縮方向に隣り合う接着領域の間隔７１ｄがすべて同じであり、伸縮構造の伸縮方向の両端部に位置する接着領域の伸縮方向長さ７１ｗの２倍と、伸縮領域２２における非伸縮領域２１側の端部に位置する接着領域の伸縮方向長さ７１ｗとがすべて同じであることにより解決される。【選択図】図１８
2018051180.tif 000002
【特許請求の範囲】
【請求項１】
第１シート層と、この第１シート層の一方の面に対向する第２シート層と、これら第１シート層及び第２シート層の間に設けられた弾性部材とを備えた、使い捨て着用物品の伸縮構造において、
前記伸縮構造は、その伸縮方向の一端から他端まで、伸縮領域及び非伸縮領域が交互に３領域以上繰り返し、かつ伸縮方向の両端が伸縮領域となっており、
前記伸縮領域の前記伸縮方向の両端部に、前記弾性部材が前記第１シート層及び第２シート層の少なくとも一方に接着されたホットメルト接着剤の接着領域を有しており、
展開状態で、
前記伸縮方向に隣り合う接着領域の間隔がすべて同じであるとともに、
前記伸縮構造の伸縮方向の両端部に位置する前記接着領域の伸縮方向長さの２倍と、前記伸縮領域における前記非伸縮領域側の端部に位置する前記接着領域の伸縮方向長さとがすべて同じである、
ことを特徴とする使い捨て着用物品の伸縮構造。
【請求項２】
前記使い捨て着用物品は、前身頃及び後身頃を構成する外装体と、この外装体に取り付けられた、吸収体を含む内装体とを備え、前身頃における外装体の両側部と後身頃における外装体の両側部とがそれぞれ接合され、この接合された部分と対応する前後方向範囲が環状の胴周り部となるとともに、ウエスト開口部及び左右一対の脚開口部が形成された、パンツタイプ使い捨ておむつであり、
前記伸縮構造は、前記外装体における胴周り部に、前記弾性部材が幅方向に沿うように設けられており、
前記非伸縮領域は前記胴周り部の幅方向中間部に設けられ、前記伸縮領域は前記非伸縮領域の幅方向両側に設けられている、
請求項１記載の使い捨て着用物品の伸縮構造。
【請求項３】
前記伸縮領域の前記伸縮方向の両端部におけるホットメルト接着剤の接着領域以外では、前記第１シート層及び第２シート層は少なくとも伸縮方向に間欠的に配置されたホットメルト接着剤を介して接着されているか、又は前記第１シート層及び第２シート層間にホットメルト接着剤を有しない、
請求項１又は２記載の使い捨て着用物品の伸縮構造。
【請求項４】
第１シート層及び第２シート層をＭＤ方向に連続的に移送しつつ、前記第１シート層及び第２シート層間に弾性部材をＭＤ方向に連続的に挟み、前記弾性部材を前記第１シート層及び第２シート層の少なくとも一方に固定した後、
伸縮領域と前記弾性部材を切断した非伸縮領域とがＭＤ方向に交互に３領域以上繰り返し、かつＭＤ方向の両端が伸縮領域となる単位伸縮構造を、ＭＤ方向に繰り返し形成し、ＭＤ方向に隣接する前記単位伸縮構造の境界で個々の伸縮構造に切断する、使い捨て着用物品の伸縮構造の形成方法において、
前記弾性部材の固定にあたり、
ＭＤ方向に隣接する一対の前記単位伸縮構造の伸縮領域の端部となる部分、及び前記伸縮領域の非伸縮領域側の端部となる部分にそれぞれ配置したホットメルト接着剤の塗布領域で、前記弾性部材を前記第１シート層及び第２シート層の少なくとも一方に前記ホットメルト接着剤を介して固定するとともに、
前記ＭＤ方向に隣り合う塗布領域の間隔をすべて同じとし、かつ
前記塗布領域の前記ＭＤ方向長さをすべて同じとした、
ことを特徴とする使い捨て着用物品の伸縮構造の形成方法。
【請求項５】
前記使い捨て着用物品は、前身頃及び後身頃を構成する外装体と、この外装体に取り付けられた、吸収体を含む内装体とを備え、前身頃における外装体の両側部と後身頃における外装体の両側部とがそれぞれ接合され、この接合された部分と対応する前後方向範囲が環状の胴周り部となるとともに、ウエスト開口部及び左右一対の脚開口部が形成された、パンツタイプ使い捨ておむつであり、
前記伸縮構造は、前記外装体における胴周り部に、前記弾性部材が幅方向に沿うように設けられるものであり、
前記非伸縮領域は前記胴周り部の幅方向中間部に設けられ、前記伸縮領域は前記非伸縮領域の幅方向両側に設けられるものである、
請求項４記載の使い捨て着用物品の伸縮構造の形成方法。
【請求項６】
前記端部塗布領域以外で、前記第１シート層及び第２シート層を少なくともＭＤ方向に間欠的にホットメルト接着剤を介して接着するか、又は第１シート層及び第２シート層間にホットメルト接着剤を塗布しない、
請求項４又は５記載の使い捨て着用物品の伸縮構造の形成方法。
【発明の詳細な説明】
【技術分野】
【０００１】
本発明は、使い捨て着用物品の伸縮構造及びその形成方法に関する。
【背景技術】
【０００２】
使い捨て着用物品においては、各部のフィット性を改善するために伸縮構造を設けることが一般的となっている。例えば、パンツタイプやテープタイプの使い捨ておむつにおいては、胴周り部に胴周り方向の伸縮構造を設けたり、脚周り部に脚周りに沿う方向の伸縮構造を設けたりすることが広く行われている。さらに、パンツタイプやテープタイプの使い捨ておむつはもちろん、生理用ナプキン、使い捨て水着、使い捨ておむつカバーを含めた使い捨て着用物品全般にわたり、立体ギャザーや平面ギャザーと呼ばれる前後方向の伸縮構造を設けることも広く行われている（例えば、特許文献１〜５参照）。
【０００３】
このような使い捨て着用物品の伸縮構造の代表的なものは、第１シート層と、この第１シート層の一方の面に対向する第２シート層と、これら第１シート層及び第２シート層の間に、伸縮方向に沿ってかつ互いに間隔を空けて設けられた複数本の細長状の弾性部材とを備えるものである。第１シート層及び第２シート層は面状の伸縮領域を形成するとともに、弾性部材を被覆、隠蔽する役割を担い、第１シート層及び第２シート層間に内蔵される弾性部材は、弾性伸縮のための力を生み出す役割を担うものである。弾性部材は、伸縮方向に伸長された状態で、伸縮領域の少なくとも両端部で第１シート層及び第２シート層に固定される。この固定により、弾性部材と第１シート層及び第２シート層とが一体化され、第１シート層及び第２シート層シート層は弾性部材の収縮力により収縮して襞又は皺が形成され、またこの収縮状態から弾性部材の収縮力に抗して伸長されると、襞や皺が展開される。通常、シート層は弾性伸長限界では襞や皺が無い展開状態となり、弾性部材の収縮に伴って襞が寄り、自然長状態では最も密に襞が寄る。現在では、弾性部材を第１シート層及び第２シート層に固定する手段としては、ほとんどの場合、ホットメルト接着剤が選択されている。
【０００４】
また、第１シート層及び第２シート層は、伸縮方向及びこれと直交する方向の少なくとも一方において間欠的に、又は連続的に接合される。これは、第１シート層及び第２シート層の接合がほとんどない場合、一方が他方に対して大きく浮いたり、ずれたりすることにより、見栄えや装着感が悪化するからである。第１シート層及び第２シート層の接合形態は、第１シート層及び第２シート層に対する弾性部材の固定を兼ねて、少なくとも弾性部材の通過位置でホットメルト接着剤を介して第１シート層及び第２シート層を接合する兼用形態（特許文献１〜３参照）と、第１シート層及び第２シート層に対する弾性部材の固定を兼ねずに、弾性部材の通過位置以外で超音波溶着等の溶着により第１シート層及び第２シート層を接合する独立形態（特許文献４，５参照）とに大別される。
【０００５】
他方、使い捨て着用物品においては、任意の部分にのみ伸縮性を付与する場合であっても、製造を容易にするために、伸縮方向に連続的に弾性部材を取り付けた後、伸縮性が不要な非伸縮領域については、弾性部材による収縮力が作用しない状態に加工する（以下、伸縮性を殺すともいう）ことが行われてきた。例えば、パンツタイプ使い捨ておむつの胴周りに幅方向の伸縮性を付与する場合、幅方向全体にわたり細長状の弾性部材を取り付けた後、吸収体と重なる幅方向中央部を細かく切断し、当該部分の伸縮性を殺すとともに、その幅方向両側の領域を伸縮領域とすることが広く行われている。
【０００６】
製造に際しては、第１シート層及び第２シート層をＭＤ方向に連続的に移送しつつ、第１シート層及び第２シート層間に細長状の弾性部材をＭＤ方向に連続的に挟み、第１シート層及び第２シート層の貼り合わせ、及び弾性部材の第１シート層及び第２シート層の少なくとも一方に対する固定を行った後、非伸縮領域となるＭＤ方向位置で弾性部材の切断加工を行い、その後、内装体の取り付け、前身頃及び後身頃の接合、個々の製品となる部分の境界で切断することが一般的である。
【０００７】
ここで、伸縮領域の伸縮方向の両端部における弾性部材の固定をホットメルト接着剤により行う場合、例えば図２１に示すように、第１シート層１２Ｓ及び第２シート層１２Ｈの貼り合わせに先立ち、ＭＤ方向に所定の間隔を空けて、弾性部材１９、第１シート層１２Ｓ、及び第２シート層１２Ｈの少なくとも一つにホットメルト接着剤７１を塗布した後、第１シート層１２Ｓ及び第２シート層１２Ｈを貼り合わせることにより、弾性部材１９を第１シート層１２Ｓ及び第２シート層１２Ｈの少なくとも一方にホットメルト接着剤７１を介して接着することにより行われる。そして、このホットメルト接着剤７１の塗布を効率的に行うには、個々の製品となる部分の境界１０１のＭＤ方向両側にわたる第１塗布領域１１１、伸縮領域２２から非伸縮領域２１に変化する境界１０２の伸縮領域２２側に隣接する第２塗布領域１１２、及び非伸縮領域２１から伸縮領域２２に変化する境界１０３の伸縮領域２２，２３側に隣接する第３塗布領域１１３を１サイクルとし、１サイクル中のいずれか１つの塗布領域１１〜１１３を始点として、ＭＤ方向に繰り返しホットメルト接着剤を塗布することとなる。
【０００８】
しかしながら、従来の製品では、図２１（ａ）に示すように、伸縮領域２２の伸縮方向両端部に位置する、第１塗布領域１１１と第２塗布領域１１２とのＭＤ方向（伸縮方向）間隔７１ｄ、及び第３塗布領域１１３と第１塗布領域１１１とのＭＤ方向（伸縮方向）間隔７１ｄと、非伸縮領域２１の幅方向両側に位置する第２塗布領域１１２と第３塗布領域１１３とのＭＤ方向間隔７１ｄとが少し異なっていたり、第１塗布領域１１１のＭＤ方向寸法７１ｗと、第２塗布領域１１２のＭＤ方向寸法７１ｗ及び第３塗布領域１１３のＭＤ方向寸法７１ｗとが少し異なっていたりしたために、次のような問題点があった。
【０００９】
すなわち、製造設備の始動時におけるホットメルト接着剤の塗布位置の位置決めにおいて、図２１（ｂ）（ｃ）に示すように、始点となる塗布領域を誤ると、前述の各塗布領域１１１〜１１３の間隔７１ｄの違いやＭＤ方向寸法７１ｗの違いにより、弾性部材１９の切断位置ＣＴに対してホットメルト接着剤７１の塗布位置がＭＤ方向一方側にズレてしまう。特に、一般的なパンツタイプ使い捨ておむつでは、前述の各塗布領域の間隔の違いやＭＤ方向寸法の違いは小さいため、始点となる塗布領域を誤りやすく、また誤ったときに発見しにくく、この点で製造が困難となっている。なお、図２１（ｂ）に示す状態は、第１塗布領域１１１の位置を誤って第２塗布領域１１２の位置に設定した状態を示しており、図２１（ｃ）に示す状態は、第１塗布領域１１１の位置を誤って第３塗布領域１１３の位置に設定した状態を示している。
【先行技術文献】
【特許文献】
【００１０】
【特許文献１】特開２００４−２２９８５７号公報
【特許文献２】特開２０１３−１３２３３１号公報
【特許文献３】特開２００９−１４８４４７号公報
【特許文献４】特開２００８−２９５９３０号公報
【特許文献５】特開２００９−２９７０９６号公報
【発明の概要】
【発明が解決しようとする課題】
【００１１】
そこで、本発明の主たる課題は、弾性部材による伸縮構造の製造を容易にすることにある。
【課題を解決するための手段】
【００１２】
上記課題を解決した本発明は次のとおりである。
＜第１の態様＞
第１シート層と、この第１シート層の一方の面に対向する第２シート層と、これら第１シート層及び第２シート層の間に設けられた弾性部材とを備えた、使い捨て着用物品の伸縮構造において、
前記伸縮構造は、その伸縮方向の一端から他端まで、伸縮領域及び非伸縮領域が交互に３領域以上繰り返し、かつ伸縮方向の両端が伸縮領域となっており、
前記伸縮領域の前記伸縮方向の両端部に、前記弾性部材が前記第１シート層及び第２シート層の少なくとも一方に接着されたホットメルト接着剤の接着領域を有しており、
展開状態で、
前記伸縮方向に隣り合う接着領域の間隔がすべて同じであるとともに、
前記伸縮構造の伸縮方向の両端部に位置する前記接着領域の伸縮方向長さの２倍と、前記伸縮領域における前記非伸縮領域側の端部に位置する前記接着領域の伸縮方向長さとがすべて同じである、
ことを特徴とする使い捨て着用物品の伸縮構造。
【００１３】
（作用効果）
本態様によれば、製造時において、各接着領域を形成するためのホットメルト接着剤の塗布領域の間隔及び各塗布領域の伸縮方向の寸法がすべて同じとなるため、製造設備の始動時におけるホットメルト接着剤の塗布位置の位置決めにおいて、始点となる塗布領域を誤る状況が原理的に発生しない。すなわち、例えば前述のパンツタイプ使い捨ておむつの場合と同様に、第１塗布領域、第２塗布領域、第３塗布領域を１サイクルとしてホットメルト接着剤を塗布する場合、各塗布領域の間隔及びＭＤ方向寸法（伸縮方向寸法）が同じであると、始点となる塗布領域を区別する必要がなくなり、どの塗布領域を始点としても、弾性部材の切断位置に対する所定位置に確実にホットメルト接着剤を塗布することができるようになる。よって、製造設備の始動時におけるホットメルト接着剤の塗布位置の位置決めを誤ることがなくなり、製造が非常に容易になる。
【００１４】
＜第２の態様＞
前記使い捨て着用物品は、前身頃及び後身頃を構成する外装体と、この外装体に取り付けられた、吸収体を含む内装体とを備え、前身頃における外装体の両側部と後身頃における外装体の両側部とがそれぞれ接合され、この接合された部分と対応する前後方向範囲が環状の胴周り部となるとともに、ウエスト開口部及び左右一対の脚開口部が形成された、パンツタイプ使い捨ておむつであり、
前記伸縮構造は、前記外装体における胴周り部に、前記弾性部材が幅方向に沿うように設けられており、
前記非伸縮領域は前記胴周り部の幅方向中間部に設けられ、前記伸縮領域は前記非伸縮領域の幅方向両側に設けられている、
第１の態様の使い捨て着用物品の伸縮構造。
【００１５】
（作用効果）
上記伸縮領域及び非伸縮領域を有する伸縮構造は、このようにパンツタイプ使い捨ておむつの外装体における胴周り部に好適なものである。
【００１６】
＜第３の態様＞
前記伸縮領域の前記伸縮方向の両端部におけるホットメルト接着剤の接着領域以外では、前記第１シート層及び第２シート層は少なくとも伸縮方向に間欠的に配置されたホットメルト接着剤を介して接着されているか、又は前記第１シート層及び第２シート層間にホットメルト接着剤を有しない、
第１又は２の態様の使い捨て着用物品の伸縮構造。
【００１７】
（作用効果）
本態様のような構造は、伸縮領域の伸縮方向の両端部以外における柔軟性が高いものとなる。また、本態様のような構造は、伸縮領域の伸縮方向の両端部における弾性部材の固定が重要となるため、前述のように、弾性部材の切断位置に対する所定位置に確実にホットメルト接着剤を塗布できることが特に重要となる。
【００１８】
＜第４の態様＞
第１シート層及び第２シート層をＭＤ方向に連続的に移送しつつ、前記第１シート層及び第２シート層間に弾性部材をＭＤ方向に連続的に挟み、前記弾性部材を前記第１シート層及び第２シート層の少なくとも一方に固定した後、
伸縮領域と前記弾性部材を切断した非伸縮領域とがＭＤ方向に交互に３領域以上繰り返し、かつＭＤ方向の両端が伸縮領域となる単位伸縮構造を、ＭＤ方向に繰り返し形成し、ＭＤ方向に隣接する前記単位伸縮構造の境界で個々の伸縮構造に切断する、使い捨て着用物品の伸縮構造の形成方法において、
前記弾性部材の固定にあたり、
ＭＤ方向に隣接する一対の前記単位伸縮構造の伸縮領域の端部となる部分、及び前記伸縮領域の非伸縮領域側の端部となる部分にそれぞれ配置したホットメルト接着剤の塗布領域で、前記弾性部材を前記第１シート層及び第２シート層の少なくとも一方に前記ホットメルト接着剤を介して固定するとともに、
前記ＭＤ方向に隣り合う塗布領域の間隔をすべて同じとし、かつ
前記塗布領域の前記ＭＤ方向長さをすべて同じとした、
ことを特徴とする使い捨て着用物品の伸縮構造の形成方法。
【００１９】
（作用効果）
第１の態様と同様の作用効果を奏する。
【００２０】
＜第５の態様＞
前記使い捨て着用物品は、前身頃及び後身頃を構成する外装体と、この外装体に取り付けられた、吸収体を含む内装体とを備え、前身頃における外装体の両側部と後身頃における外装体の両側部とがそれぞれ接合され、この接合された部分と対応する前後方向範囲が環状の胴周り部となるとともに、ウエスト開口部及び左右一対の脚開口部が形成された、パンツタイプ使い捨ておむつであり、
前記伸縮構造は、前記外装体における胴周り部に、前記弾性部材が幅方向に沿うように設けられるものであり、
前記非伸縮領域は前記胴周り部の幅方向中間部に設けられ、前記伸縮領域は前記非伸縮領域の幅方向両側に設けられるものである、
第４の態様の使い捨て着用物品の伸縮構造の形成方法。
【００２１】
（作用効果）
第２の態様と同様の作用効果を奏する。
【００２２】
＜第６の態様＞
前記端部塗布領域以外で、前記第１シート層及び第２シート層を少なくともＭＤ方向に間欠的にホットメルト接着剤を介して接着するか、又は第１シート層及び第２シート層間にホットメルト接着剤を塗布しない、
第４又は５の態様の使い捨て着用物品の伸縮構造の形成方法。
【００２３】
（作用効果）
第３の態様と同様の作用効果を奏する。
【発明の効果】
【００２４】
以上のとおり、本発明によれば、弾性部材による伸縮構造の製造が容易となる、等の利点がもたらされる。
【図面の簡単な説明】
【００２５】
【図１】パンツタイプ使い捨ておむつの内面を示す、おむつを展開した状態における平面図である。
【図２】パンツタイプ使い捨ておむつの外面を示す、おむつを展開した状態における平面図である。
【図３】図１の３−３断面図である。
【図４】図１の４−４断面図である。
【図５】（ａ）図１の５−５断面図、（ｂ）図１の２−２断面図である。
【図６】パンツタイプ使い捨ておむつの斜視図である。
【図７】展開状態の外装体を示す平面図である。
【図８】パンツタイプ使い捨ておむつの外面を示す、おむつを展開した状態における平面図である。
【図９】（ａ）図８の５−５断面図、（ｂ）図８の２−２断面図である。
【図１０】展開状態の外装体を示す平面図である。
【図１１】（ａ）展開状態の伸縮構造の平面図、（ｂ）自然長状態の６−６断面図、及び（ｃ）ある程度伸長した状態の６−６断面図である。
【図１２】図１１における、（ｄ）８−８断面図、（ｅ）７−７断面図、（ｆ）９−９断面図、及び（ｇ）１０−１０断面図である。
【図１３】（ａ）展開状態の伸縮構造の平面図、（ｂ）自然長状態の６−６断面図、及び（ｃ）ある程度伸長した状態の６−６断面図である。
【図１４】図１３における、（ｄ）８−８断面図、（ｅ）７−７断面図、（ｆ）９−９断面図、及び（ｇ）１０−１０断面図である。
【図１５】（ａ）展開状態の伸縮構造の平面図、（ｂ）自然長状態の６−６断面図、及び（ｃ）ある程度伸長した状態の６−６断面図である。
【図１６】図１５における、（ｄ）８−８断面図、（ｅ）７−７断面図、（ｆ）９−９断面図、及び（ｇ）１０−１０断面図である。
【図１７】パンツタイプ使い捨ておむつの製造フローの要部を示す斜視図である。
【図１８】第１ホットメルト接着剤の塗布パターンの例を示す平面図である。
【図１９】伸縮構造の製造フローの要部を示す正面図である。
【図２０】非伸縮領域における各種切断態様を示す要部拡大平面図である。
【図２１】第１ホットメルト接着剤の塗布パターンの従来例を示す平面図である。
【図２２】剥離強度測定試験の試験片の説明図である。
【図２３】剥離強度測定試験の説明図である。
【図２４】保持力測定試験の試験片の説明図である。
【図２５】保持力測定試験の説明図である。
【発明を実施するための形態】
【００２６】
以下、本発明の実施形態について、添付図面を参照しつつ詳説する。
図１〜図７は、パンツタイプ使い捨ておむつの一例を示している。このパンツタイプ使い捨ておむつは、製品外面（裏面）をなす外装体１２と、外装体１２に取り付けられた内装体２００とから構成されているものである。符号２０１は内装体２００と外装体１２との接合領域を示しており、符号Ｙはおむつの全長を示しており、符号Ｘはおむつの全幅を示している。
【００２７】
内装体２００は、尿等の排泄物等を吸収保持する部分であり、外装体１２は内装体２００を身体に装着するための部分である。なお、断面図における点模様部分は各構成部材を接合する接合部分を示しており、ホットメルト接着剤などのベタ、ビード、カーテン、サミット又はスパイラル塗布などにより形成されるものである。
【００２８】
（内装体）
内装体２００は任意の形状を採ることができるが、図示の形態では長方形である。内装体２００は、図３〜図５に示されるように、肌に接する側となるトップシート３０と、液不透過性シート１１と、これらの間に介在された吸収要素５０とを備えているものであり、吸収機能を担う本体部である。符号４０は、トップシート３０を透過した液を速やかに吸収要素５０へ移行させるために、トップシート３０と吸収要素５０との間に設けられた中間シート（セカンドシート）を示しており、符号６０は、内装体２００の両脇に排泄物が漏れるのを防止するために、内装体２００の両側に設けられた、装着者の肌側に起立する立体ギャザー６０を示している。
【００２９】
（トップシート）
トップシート３０は、液を透過する性質を有するものであり、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであれば、エアスルー法、ポイントボンド法、サーマルボンド法が、好ましい加工方法となる。
【００３０】
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００３１】
立体ギャザー６０を設ける場合、トップシート３０の両側部は、液不透過性シート１１と立体ギャザー６０との間を通して、吸収要素５０の裏側まで回り込ませ、液の浸透を防止するために、液不透過性シート１１及び立体ギャザー６０に対してホットメルト接着剤等により接着するのが好ましい。
【００３２】
（中間シート）
トップシート３０と吸収要素５０との間には中間シート（「セカンドシート」とも呼ばれている）４０を設けることができる。この中間シート４０は、液を速やかに吸収体５６側へ移行させて吸収体５６による吸収性能を高めるばかりでなく、吸収体５６からの吸収液の逆戻り現象を防止し、トップシート３０の表面を乾燥した肌触りとするためのものである。中間シート４０は省略することもできる。
【００３３】
中間シート４０としては、トップシート３０と同様の素材や、スパンレース、スパンボンド、ＳＭＳ、パルプ不織布、パルプとレーヨンとの混合シート、ポイントボンド又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは２０〜８０ｇ／ｍ2が好ましく、２５〜６０ｇ／ｍ2がより好ましい。不織布の原料繊維の太さは２．２〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００３４】
図示の形態の中間シート４０は、吸収体５６の幅より短く中央に配置されているが、全幅にわたって設けてもよい。中間シート４０の長手方向長さは、吸収体５６の長さと同一でもよいし、液を受け入れる領域を中心にした短い長さ範囲内であってもよい。
【００３５】
（液不透過性シート）
液不透過性シート１１の素材は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。液不透過性シート１１には、近年、ムレ防止の観点から好まれて使用されている不透液性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。この他にも、マイクロデニール繊維を用いた不織布、熱や圧力をかけることで繊維の空隙を小さくすることによる防漏性強化、高吸水性樹脂又は疎水性樹脂や撥水剤の塗工といった方法により、プラスチックフィルムを用いずに液不透過性としたシートも、液不透過性シート１１として用いることができる。
【００３６】
液不透過性シート１１は、防漏性を高めるために、吸収要素５０の両側を回り込ませて吸収要素５０のトップシート３０側面の両側部まで延在させることもできる。
【００３７】
また、液不透過性シート１１の内側、特に吸収体５６側面に、液分の吸収により色が変化する排泄インジケータを設けることができる。
【００３８】
（立体ギャザー）
立体ギャザー６０は、内装体２００の両側部に沿って前後方向全体にわたり延在する帯状部材であり、トップシート３０上を伝わって横方向に移動する流動性排泄物（尿や軟便等）を遮断し、横漏れを防止するために設けられているものである。本実施の形態の立体ギャザー６０は、内装体２００の側部から起立するように設けられ、付け根側の部分は幅方向中央側に向かって斜めに起立し、中間部より先端側の部分は幅方向外側に向かって斜めに起立するものである。この形態は面接触タイプの立体ギャザーであるが、幅方向外側に折り返されない線接触タイプの立体ギャザー（図示略）も採用することができる。
【００３９】
より詳細には、立体ギャザー６０は、内装体２００の前後方向長さに等しい長さを有する帯状のギャザーシート６２を幅方向に折り返して二つに折り重ねるとともに、折り返し部分及びその近傍のシート間に、細長状弾性部材６３を長手方向に沿って伸長状態で、幅方向に間隔を空けて複数本固定してなるものである。立体ギャザー６０のうち幅方向において折り返し部分と反対側の端部は内装体２００の側縁部の裏面に固定された取付部分６５とされ、この取付部分６５以外の部分は取付部分６５から突出する突出部分６６（折り返し部分側の部分）とされている。また、突出部分６６のうち前後方向両端部は、取付部分６５から内装体２００の側部を通りトップシート３０の側部表面まで延在し、かつこのトップシート３０の側部表面に対してホットメルト接着剤６７等の固定手段により固定された倒伏部分とされ、突出部分６６のうち前後方向中間部は非固定の自由部分とされ、少なくともこの自由部分の前後方向全体にわたり、前後方向に沿う細長状弾性部材６３が伸長状態で固定されている。
【００４０】
ギャザーシート６２としてはスパンボンド不織布（ＳＳ、ＳＳＳ等）やＳＭＳ不織布（ＳＭＳ、ＳＳＭＭＳ等）、メルトブロー不織布等の柔軟で均一性・隠蔽性に優れた不織布に、必要に応じてシリコンなどにより撥水処理を施したものを好適に用いることができ、繊維目付けは１０〜３０ｇ／ｍ2程度とするのが好ましい。細長状弾性部材６３としては糸ゴム等を用いることができる。スパンデックス糸ゴムを用いる場合は、太さは４７０〜１２４０ｄｔｅｘが好ましく、６２０〜９４０ｄｔｅｘがより好ましい。固定時の伸長率は、１５０〜３５０％が好ましく、２００〜３００％がより好ましい。なお、用語「伸長率」は自然長を１００％としたときの値を意味する。また、図示のように、二つに折り重ねたギャザーシートの間に防水フィルム６４を介在させることもできる。
【００４１】
立体ギャザー６０の自由部分に設けられる細長状弾性部材６３の本数は２〜６本が好ましく、３〜５本がより好ましい。配置間隔６０ｄは３〜１０ｍｍが適当である。このように構成すると、細長状弾性部材６３を配置した範囲で肌に対して面で当たりやすくなる。先端側だけでなく付け根側にも細長状弾性部材６３を配置しても良い。
【００４２】
立体ギャザー６０の取付部分６５の固定対象は、内装体２００におけるトップシート３０、液不透過性シート１１、吸収要素５０等適宜の部材とすることができる。
【００４３】
かくして構成された立体ギャザー６０では、細長状弾性部材６３の収縮力が前後方向両端部を近づけるように作用するが、突出部分６６のうち前後方向両端部が倒伏状態に固定されるのに対して、それらの間は非固定の自由部分とされているため、自由部分のみが図３に示すように身体側に当接するように起立する。特に、取付部分６５が内装体２００の裏面側に位置していると、股間部及びその近傍において立体ギャザー６０が幅方向外側に開くように起立するため、立体ギャザー６０が脚周りに面で当接するようになり、フィット性が向上するようになる。
【００４４】
なお、図示形態と異なり、内装体２００の左右各側において立体ギャザーを二重に（二列）設けることもできる。
【００４５】
（吸収要素）
吸収要素５０は、吸収体５６と、この吸収体５６の全体を包む包装シート５８とを有する。包装シート５８は省略することもできる。
【００４６】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。吸収体５６中には高吸収性ポリマー粒子を分散保持させるのが好ましい。
【００４７】
吸収体５６は長方形形状でも良いが、図１及び図２にも示すように、前端部、後端部及びこれらの間に位置し、前端部及び後端部と比べて幅が狭い括れ部とを有する砂時計形状を成していると、吸収体５６自体と立体ギャザー６０の、脚周りへのフィット性が向上するため好ましい。
【００４８】
また、吸収体５６の寸法は適宜定めることができるが、前後方向及び幅方向において、内装体の周縁部又はその近傍まで延在しているのが好ましい。なお、符号５６Ｘは吸収体５６の幅を示している。
【００４９】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子の粒径は、この種の使い捨て着用物品に使用されるものをそのまま使用でき、１０００μｍ以下、特に１５０〜４００μｍのものが望ましい。高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００５０】
高吸収性ポリマー粒子としては、吸水速度が４０秒以下のものが好適に用いられる。吸水速度が４０秒を超えると、吸収体５６内に供給された液が吸収体５６外に逆戻りしやすくなる。
【００５１】
また、高吸収性ポリマー粒子としては、ゲル強度が１０００Ｐａ以上のものが好適に用いられる。これにより、かさだかな吸収体５６とした場合であっても、液吸収後のべとつき感を効果的に抑制できる。
【００５２】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
【００５３】
必要であれば、高吸収性ポリマー粒子は、吸収体５６の平面方向で散布密度あるいは散布量を調整できる。例えば、液の排泄部位を他の部位より散布量を多くすることができる。男女差を考慮する場合、男用は前側の散布密度（量）を高め、女用は中央部の散布密度（量）を高めることができる。また、吸収体５６の平面方向において局所的（例えばスポット状）にポリマーが存在しない部分を設けることもできる。
【００５４】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
【００５５】
包装シート５８の包装形態は適宜定めることができるが、製造容易性や前後端縁からの高吸収性ポリマー粒子の漏れ防止等の観点から、吸収体５６の表裏面及び両側面を取り囲むように筒状に巻き付け、かつその前後縁部を吸収体５６の前後からはみ出させ、このはみ出し部分を表裏方向に潰してホットメルト接着剤等の接合手段により接合する形態が好ましい。
【００５６】
（外装体）
外装体１２は、前後方向中央から腹側に延在する前身頃Ｆを構成する部分と、前後方向中央から背側に延在する後身頃Ｂを構成する部分とを有し、これら前身頃Ｆの両側部と後身頃Ｂの両側部とが接合されて、図６に示すように、装着者の胴を通すためのウエスト開口ＷＯ及び脚を通すための左右一対の脚開口ＬＯが形成されているものである。符号１２Ａは接合部分を示している（以下、この部分をサイドシール部ともいう）。なお、股間部とは、展開状態の使い捨ておむつにおける前身頃Ｆのウエスト縁から後身頃Ｂのウエスト縁までの前後方向中央を意味し、それよりも前側の部分及び後側の部分が前身頃Ｆ及び後身頃Ｂをそれぞれ意味する。
【００５７】
外装体１２は、ウエスト開口ＷＯから脚開口ＬＯの上端に至る前後方向範囲として定まる胴周り部Ｔと、脚開口ＬＯを形成する部分の前後方向範囲（前身頃Ｆのサイドシール部１２Ａを有する前後方向領域と後身頃Ｂのサイドシール部１２Ａを有する前後方向領域との間）として定まる中間部Ｌとを有する。胴周り部Ｔは、概念的にウエスト開口の縁部を形成するウエスト部Ｗと、これよりも下側の部分であるウエスト下方部Ｕとに分けることができる。通常、胴周り部Ｔ内に幅方向伸縮応力が変化する境界（例えば弾性部材の太さや伸長率が変化する）を有する場合は、最もウエスト開口ＷＯ側の境界よりもウエスト開口ＷＯ側がウエスト部Ｗとなり、このような境界が無い場合は吸収体５６又は内装体２００よりもウエスト開口ＷＯ側がウエスト部Ｗとなる。これらの縦方向の長さは、製品のサイズによって異なり、適宜定めることができるが、一例を挙げると、ウエスト部Ｗは１５〜４０ｍｍ、ウエスト下方部Ｕは６５〜１２０ｍｍとすることができる。一方、中間部Ｌの両側縁は被着者の脚周りに沿うように括れており、ここが着用者の脚を入れる部位となる。この結果、外装体１２は、全体としては略砂時計形状をなしている。外装体１２の括れの程度は適宜定めることができ、図１〜図６に示す形態のように、すっきりとした外観とするために最も幅が狭い部分では内装体２００の幅より狭くすることが好ましいが、最も幅が狭い部分でも内装体２００の幅以上となるように定めてもよい。
【００５８】
外装体１２は、図３〜図５に示されるように、弾性部材１９の外側に隣接する第１シート層１２Ｓと、弾性部材１９の内側に隣接する第２シート層１２Ｈとを有している。第１シート層１２Ｓ及び第２シート層１２Ｈの素材は特に限定されるものではないが、不織布を好適に用いることができる。不織布としては、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような製法によって製造されたものであってもよい。柔軟性を重視する場合には、第１シート層１２Ｓ及び第２シート層１２Ｈの少なくとも一方として、ポリプロピレン（ＰＰ）又はそのコポリマー（例えばポリエチレンや、エチレンを共重合成分として配合したコポリマー）の不織布（以下、ＰＰ系不織布ともいう）や、ポリエチレン（ＰＥ）を鞘に、ポリプロピレン（ＰＰ）を芯成分にした芯鞘繊維（ＰＥ／ＰＰ）の不織布を用いるのが好ましい。加工方法としては、公知の方法、例えば、スパンレース法、スパンボンド法、サーマルボンド法、メルトブローン法、ニードルパンチ法、エアスルー法、ポイントボンド法等を例示することができる。特に、強度及び柔軟性に優れている点からスパンボンド不織布が好ましく、特にスパンボンド層を複数積層してなるスパンボンド不織布、例えばＳＳ不織布（二層）や、ＳＳＳ不織布（三層）を好適に用いることができ、四層以上のものを用いることもできる。また、不織布の厚みや目付けは特に限定されないが、厚みは０．１〜１ｍｍ、目付は１０〜２０ｇ／ｍ2程度であることが望ましい。
【００５９】
第１シート層１２Ｓ及び第２シート層１２Ｈは、一枚のシート材が折り返されて積層された一方の層と他方の層であっても、またそれぞれ別々のシート材からなる層であっても良く、さらにこれらの両方であっても良い。さらに、第１シート層１２Ｓ及び第２シート層１２Ｈの少なくとも一方は、その一部が他の部分と異なるシート材により形成されていても良い。図示形態の外装体１２は、前身頃のウエスト開口ＷＯの縁から後身頃のウエスト開口の縁まで延びる外面側部分、及び前身頃のウエスト開口ＷＯの縁で内側に折り返された折り返し部分１２ｒ（内装体２００のウエスト開口ＷＯ側の端部を被覆するように延びている）を有する第１シート材と、第１シート材の外面側部分の内側に接合された第２シート材とを有しており、これら第１シート材及び第２シート材が第１シート層１２Ｓ及び第２シート層１２Ｈをそれぞれ形成しているが、これに限られるものではない。例えば、図示しないが、ウエスト部Ｗでは第１シート材の外面側部分及び折り返し部分１２ｒが第１シート層１２Ｓ及び第２シート層１２Ｈをそれぞれ形成し、ウエスト下方部Ｕ及び中間部Ｌでは第１シート材及び第２シート材が第１シート層１２Ｓ及び第２シート層１２Ｈをそれぞれ形成する形態とすることもできる。
【００６０】
また、外装体１２には、身体へのフィット性を高めるために、吸収体５６よりもウエスト開口ＷＯ側に幅方向に連続する連続伸縮領域２３を有するとともに、吸収体５６を有する前後方向範囲に、幅方向中間に設けられた非伸縮領域２１と、この非伸縮領域２１の幅方向両側に設けられた間欠伸縮領域２２とを有しており、連続伸縮領域２３及び間欠伸縮領域２２における第１シート層１２Ｓ及び第２シート層１２Ｈ間には、糸ゴム等の細長状弾性部材１９（１５〜１７）が幅方向に沿って所定の伸長率で取り付けられて、幅方向に伸縮可能（幅方向が伸縮方向）とされている。細長状弾性部材１９としては、合成ゴムを用いても、天然ゴムを用いても良い。図示形態における非伸縮領域２１及び間欠伸縮領域２２を有する前後方向範囲の一部又は全部について、幅方向全体にわたり連続伸縮領域２３としたり、図示形態における非伸縮領域２１の前後方向範囲をウエスト側又は股間側に拡大したりしても良い。
【００６１】
図示形態についてより詳細に説明すると、まず外装体１２のウエスト部Ｗは連続伸縮領域２３とされており、第１シート層１２Ｓ及び第２シート層１２Ｈ間には、幅方向全体にわたり連続するように、複数のウエスト部弾性部材１７が前後方向に間隔を空けて、かつ所定の伸長率で幅方向に沿って伸長された状態で取り付けられている。ウエスト部弾性部材１７のうちウエスト下方部Ｕに隣接する部分に配設される１本又は複数本については吸収体５６と重なっていてもよい。ウエスト部Ｗにおけるウエスト下方部Ｕに隣接する部分は、ウエスト下方部Ｕと同様に非伸縮領域２１及び間欠伸縮領域２２を有する領域としても良い。ウエスト部弾性部材１７としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、５〜２０ｍｍ、特に８〜１６ｍｍの間隔で３〜２２本程度、それぞれ伸長率１５０〜４００％、特に２２０〜３２０％程度で取り付けるのが好ましい。また、ウエスト部弾性部材１７は、その全てを同じ太さと伸長率にする必要はなく、例えばウエスト部Ｗの上部と下部で弾性部材の太さと伸長率が異なるようにしてもよい。
【００６２】
また、外装体１２のウエスト下方部Ｕの第１シート層１２Ｓ及び第２シート層１２Ｈ間には、非伸縮領域２１を除いて、その上側及び幅方向両側の各部位に、幅方向全体にわたり連続するように、細長状弾性部材からなるウエスト下方部弾性部材１５が複数本、前後方向に間隔を空けて、かつ所定の伸長率で幅方向に沿って伸長された状態で取り付けられている。ウエスト下方部弾性部材１５としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、５〜２０ｍｍ、特に８〜１６ｍｍの間隔で５〜３０本程度、それぞれ伸長率２００〜３５０％、特に２４０〜３００％程度で取り付けるのが好ましい。
【００６３】
さらに、外装体１２の中間部Ｌにおける第１シート層１２Ｓ及び第２シート層１２Ｈ間には、非伸縮領域２１を除いて、その幅方向両側の各部位に、幅方向全体にわたり連続するように、細長状弾性部材からなる中間部弾性部材１６が複数本、前後方向に間隔を空けて、かつ所定の伸長率で幅方向に沿って伸長された状態で取り付けられている。カバー部弾性部材１６としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、５〜２０ｍｍ、特に８〜１６ｍｍの間隔で２〜１０本程度、それぞれ伸長率１５０〜３００％、特に１８０〜２６０％で取り付けるのが好ましい。
【００６４】
なお、図示形態の間欠伸縮領域２２のように、外装体１２に設けられる弾性部材１９（図示形態ではウエスト下方部弾性部材１５及び中間部弾性部材１６）が、非伸縮領域２１を除いてその幅方向両側にそれぞれ設けられていると、当該非伸縮領域２１において吸収体５６の幅方向収縮が防止される。よって、非伸縮領域２１は、吸収体５６と幅方向に重なる部分の一部又は全部を含む幅方向中間（好ましくは内装体２００と外装体１２との接合領域２０１の全体を含む）の領域とされ、その幅方向両側におけるサイドシール部１２Ａまでの幅方向全体が間欠伸縮領域２２とされることが好ましい
【００６５】
（外装体分割構造）
図１〜図７に示す例では、前身頃Ｆから後身頃Ｂまでを一体的な外装体１２により連続的に覆っているが、図８〜図１０に示す例のように、外装体１２Ｆ，１２Ｂは、前身頃Ｆを構成する部分である前側外装体１２Ｆと、後身頃Ｂを構成する部分である後側外装体１２Ｂとからなり、前側外装体１２Ｆ及び後側外装体１２Ｂは股間側で連続しておらず、前後方向ＬＤに離間されている形態とすることもできる。この離間距離１２ｄは１５０〜２５０ｍｍ程度とすることができる。この離間部分における内装体２００の裏面の露出部分の一部（例えば前側外装体１２Ｆと後側外装体１２Ｂとの間に露出する部分の前後方向全体にわたるが、内装体２００の前後端まで延びず、また幅方向ＷＤの両側縁も内装体２００の両側縁までは達しない程度）又は全体を覆うように、股間部カバーシート１２Ｍを貼り付けることが望ましいが、省略することもできる。股間部カバーシート１２Ｍとしては、前述した第１シート層及び第２シート層に用いられるものと同様の素材を用いることができる。
【００６６】
（伸縮構造について）
本パンツタイプ使い捨ておむつにおいては、ウエスト部Ｗから中間部Ｌにかけての領域、図２〜５、及び図７〜１０に示すように、第１シート層１２Ｓ及び第２シート層１２Ｈの間に、幅方向（伸縮方向）に沿ってかつ互いに間隔を空けて設けられた複数本の細長状の弾性部材１９が設けられており、伸縮領域２２，２３の幅方向の端部２０で弾性部材１９を第１シート層１２Ｓ及び第２シート層１２Ｈの少なくとも一方に固定するための第１ホットメルト接着剤７１の接着領域と、第１ホットメルト接着剤７１の接着領域以外で、第１シート層１２Ｓ及び第２シート層１２Ｈを接着する第２ホットメルト接着剤７２の接着領域とを有している。
【００６７】
（弾性部材の接着）
より詳細には、連続伸縮領域２３の幅方向の両端部２０は製品の幅方向の両端部となり、ウエスト部弾性部材１７はこの製品の幅方向の両端部に位置する第１ホットメルト接着剤７１の接着領域で、第１シート層１２Ｓ及び第２シート層１２Ｈの少なくとも一方に固定される。一方、間欠伸縮領域２２の幅方向の両端部２０は、一方は製品の幅方向の端部２０に位置し、他方は非伸縮領域に隣接する端部２０となり、ウエスト下方部弾性部材１５はこれら端部２０に位置する第１ホットメルト接着剤７１の接着領域で、また中間部弾性部材１６非伸縮領域に隣接する端部に位置する第１ホットメルト接着剤７１の接着領域で、第１シート層１２Ｓ及び第２シート層１２Ｈの少なくとも一方に固定される。
【００６８】
この形態では、中間部Ｌの幅方向両側が脚周りに沿って切断されているため、ウエスト下方部Ｕのみが本発明の伸縮構造となっているが、製造に際しては後述する形成方法によりウエスト下方部Ｕ及び中間部Ｌにわたる伸縮構造を一体的に形成することができる。すなわち、ウエスト下方部Ｕにおいては、幅方向に隣り合う第１ホットメルト接着剤７１の接着領域の間隔７１ｄが、計３か所すべて同じであるとともに、製品の幅方向の両端部に位置する第１ホットメルト接着剤７１の接着領域の幅方向長さ７１ｗの２倍と、伸縮領域２２における非伸縮領域２１側の端部に位置する第１ホットメルト接着剤７１の接着領域の幅方向長さ７１ｗとが、計４か所すべて同じとなっている。この結果、後述するように、製造設備の始動時における第１ホットメルト接着剤７１の塗布位置の位置決めを誤ることがなくなり、製造が非常に容易になる。
【００６９】
一方、図８〜図１０に示す外装体分割構造の形態では、連続伸縮領域２３ではウエスト部弾性部材１７の幅方向全体にわたりウエスト部弾性部材１７と重なる位置にのみ配置された第１ホットメルト接着剤７１を介して第１シート層１２Ｓ及び第２シート層１２Ｈの少なくとも一方に固定されている。また、間欠伸縮領域２２では、ウエスト下方部弾性部材１５及び中間部弾性部材１６は、製品の幅方向の端部及び非伸縮領域に隣接する端部のそれぞれに位置する第１ホットメルト接着剤７１の接着領域で、第１シート層１２Ｓ及び第２シート層１２Ｈの少なくとも一方に固定されている。
【００７０】
この形態では、間欠伸縮領域２２の全体（ウエスト下方部Ｕ及び中間部Ｌ）の伸縮構造が本発明の伸縮構造となっており、この伸縮構造が後述する形成方法により一体的に形成することができる。すなわち、間欠伸縮領域２２では、幅方向に隣り合う第１ホットメルト接着剤７１の接着領域の間隔７１ｄが、計３か所すべて同じであるとともに、製品の幅方向の両端部に位置する第１ホットメルト接着剤７１の接着領域の幅方向長さ７１ｗの２倍と、伸縮領域２２における非伸縮領域２１側の端部に位置する第１ホットメルト接着剤７１の接着領域の幅方向長さ７１ｗとが、計４か所すべて同じとなっている。よって、この形態においても、後述するように、製造設備の始動時における第１ホットメルト接着剤７１の塗布位置の位置決めを誤ることがなくなり、製造が非常に容易になる。
【００７１】
第１ホットメルト接着剤７１は、図７、図１１及び図１３に示すように弾性部材１９と直交する方向に間欠的に、かつ弾性部材１９と重なる位置にのみ配置する他、図１０及び図１５に示すように複数の弾性部材１９の端部にわたるように前後方向に連続するパターンで配置することもできる。前者の場合、第１ホットメルト接着剤７１はコームガンやシュアラップノズル等の塗布手段により弾性部材１９の外周面にのみ塗布することが好ましく、後者の場合、第１ホットメルト接着剤７１は第１シート層１２Ｓ及び第２シート層１２Ｈの少なくとも一方に対してスロットコート、カーテンコート等により塗布することが好ましい。
【００７２】
なお、第１ホットメルト接着剤７１の接着領域に関して、幅方向に隣り合う接着領域の間隔７１ｄ、製品の幅方向の両端部に位置する接着領域の幅方向長さ７１ｗ、及び伸縮領域における非伸縮領域側の端部に位置する接着領域の幅方向長さ７１ｗは、適宜定めれば良い。通常の場合、幅方向に隣り合う接着領域の間隔７１ｄは伸縮領域２２の幅方向長さの４５〜９５％程度とすることが好ましく、具体的な長さとしては６５〜１３０ｍｍとすることが好ましい。また、伸縮領域２２における非伸縮領域２１側の端部に位置する接着領域の幅方向長さ７１ｗは、伸縮領域２２のＭＤ方向長さの５〜３５％程度とすることが好ましく、具体的な長さとしては８〜５０ｍｍとすることが好ましい。製品の幅方向の両端部に位置する接着領域の幅方向長さ７１ｗは、伸縮領域２２における非伸縮領域２１側の端部に位置する接着領域の幅方向長７１ｗさの１／２となる。
【００７３】
（第１シート層及び第２シート層の接合）
第１シート層１２Ｓ及び第２シート層１２Ｈを接合するための第２ホットメルト接着剤７２は、伸縮領域２２，２３の端部における弾性部材１９の固定部以外において第１シート層１２Ｓ及び第２シート層１２Ｈを接合する限り、どの程度の範囲にどのようなパターンで配置されていても良いが、図示形態のように、非伸縮領域２１、伸縮領域２２，２３の端部を含め伸縮構造の全体にわたり一様なパターンで設けられていることが好ましい。
【００７４】
例えば、図示しないが、弾性部材１９の外周面にコームガンやシュアラップノズル等の塗布手段により第２ホットメルト接着剤７２を塗布し、弾性部材１９と直交する方向に間欠的に、かつ弾性部材１９と重なる位置にのみ第２ホットメルト接着剤７２を配置しても良い。また、図示しないが、弾性部材１９と重ならないように、少なくとも前後方向に間欠的に、又は前後方向及び幅方向に間欠的に第２ホットメルト接着剤７２を配置しても良い。
【００７５】
図７、図１０、及び図１１〜図１６に示す形態のように、第２ホットメルト接着剤７２を介して第１シート層１２Ｓ及び第２シート層１２Ｈが接合されたシート接合部７０が、弾性部材１９の長手方向に間欠的、かつ弾性部材１９と交差する方向に連続的となる縞状のパターンで配置される交差方向連続接合形態は、綺麗に連続する襞８０が形成されるため一つの好ましい形態である。この形態では、弾性部材１９は、伸縮領域２２，２３の幅方向の両端部において少なくとも第１ホットメルト接着剤７１を介して第１シート層１２Ｓ及び第２シート層１２Ｈの少なくとも一方に固定されるとともに、シート接合部７０と交差する位置で第１シート層１２Ｓ及び第２シート層１２Ｈの少なくとも一方に第２ホットメルト接着剤７２を介して固定されることとなる。
【００７６】
そして、この交差方向連続接合形態では、弾性部材１９の収縮に伴い、図１１（ｂ）、図１３（ｂ）及び図１５（ｂ）にそれぞれ示すように、第１シート層１２Ｓ及び第２シート層１２Ｈにおけるシート接合部７０間に位置する部分がそれぞれ収縮し、互いに反対向きに膨らんで襞８０が形成される。図１１（ｂ）、図１３（ｂ）及び図１５（ｂ）は自然長の状態であるが、装着時にはこの状態から弾性部材１９がある程度まで伸長され、図１１（ｃ）、図１３（ｃ）及び図１５（ｃ）に示すように、襞８０の裾が広がり、それに伴い襞８０の高さ８０ｈが低くなる。また、この伸縮構造は、交差方向連続接合形態であるため、シート接合部７０に沿って真直ぐに延びる襞８０が形成され、通気性、見栄えに優れるものである。
【００７７】
図１１及び図１２に示す形態は、第１シート層１２Ｓにおける第２シート層１２Ｈ側の面に、伸縮方向には間欠的にかつ伸縮方向と交差する方向には所定の幅で連続的に第２ホットメルト接着剤７２を塗布し、第２シート層１２Ｈにおける第１シート層１２Ｓ側の面には、第２ホットメルト接着剤７２を塗布せずに、第１シート層１２Ｓ及び第２シート層１２Ｈ間に弾性部材１９を伸長状態で挟み、第１シート層１２Ｓ及び第２シート層１２Ｈ、並びに第１シート層１２Ｓ及び弾性部材１９をそれぞれ第２ホットメルト接着剤７２により接合したものである。この場合、シート接合部７０と弾性部材１９とが交差する部分のうち、弾性部材１９の第１シート層１２Ｓ側で第２ホットメルト接着剤７２が伸縮方向と交差する方向に連続することにより弾性部材１９が第２ホットメルト接着剤７２を介して第１シート層１２Ｓに固定されるとともに、弾性部材１９の第２シート層１２Ｈ側では第２ホットメルト接着剤７２が伸縮方向と交差する方向に不連続となる。図１２（ｅ）中にはこの不連続となる部分を符号７３により示している。第２シート層１２Ｈにおいて第２ホットメルト接着剤７２が間欠的に存在することより第２シート層１２Ｈの柔軟性の低下、ひいては第１シート層１２Ｓ及び第２シート層１２Ｈの全体としての柔軟性の低下を抑制できる。また、弾性部材１９はシート接合部７０と交差する部分では第１シート層１２Ｓ側だけ第２ホットメルト接着剤７２が連続するとはいえ、弾性部材１９の両側はシート接合部７０により第１シート層１２Ｓ及び第２シート層１２Ｈが一体化しているから、弾性部材１９の収縮力は第１シート層１２Ｓ及び第２シート層１２Ｈの実質的に同一に作用し、第１シート層１２Ｓ及び第２シート層１２Ｈの両者に均等な襞を形成することができる。
【００７８】
なお、第１シート層１２Ｓ及び第２シート層１２Ｈに同様のパターンで接着剤７１を塗布することも可能である。この場合、図１３及び図１４に示すように、シート接合部７０と弾性部材１９とが交差する部分のうち、弾性部材１９の第１シート層１２Ｓ側及び第２シート層１２Ｈ側の両方で第２ホットメルト接着剤７２が伸縮方向と交差する方向に所定の幅で連続するため、弾性部材１９をより強固に固定できる利点がある。また、図示しないが第２シート層１２Ｈに第２ホットメルト接着剤７２を塗布し、第１シート層１２Ｓには第２ホットメルト接着剤７２を塗布せずに弾性部材１９を挟み込んで固定することも可能である。ただし、これらの形態は、第２シート層１２Ｈにおいて第２ホットメルト接着剤７２が連続するため、肌に接触させる第２シート層１２Ｈそのものの柔軟性の低下だけでなく、その柔軟性の低下部分が弾性部材１９により肌に押し付けられるため、あまり好ましくない。よって、図１１及び図１２に示す形態のように第２シート層１２Ｈのように装着者の肌に接触する面を有する側は第２ホットメルト接着剤７２が連続しないことが望ましい。
【００７９】
このような形態では、各シート接合部７０の伸縮方向の幅７０ｗは０．５〜４ｍｍ（特に０．５〜１ｍｍ）とされ、隣り合うシート接合部７０の間隔７０ｄが４〜８ｍｍ（特に５〜７ｍｍ）とされていると好ましい。基本的に、シート接合部７０の伸縮方向の幅７０ｗが狭すぎると第２ホットメルト接着剤７２の塗布が困難となり、広すぎると柔軟性が低下する。さらに、各シート接合部７０の伸縮方向の幅７０ｗは隣り合う襞８０の間隔に影響を及ぼすものであり、交差方向連続接合形態のように、形成される襞８０が薄い場合にこの幅が４ｍｍを超えると、隣り合う襞８０の間が広くなり過ぎ、個々の襞８０が独立した見栄えとなるだけでなく、厚み方向の圧縮力により襞８０が潰れ広がる、倒れる等の変形をするとき、隣り合う襞８０が支え合う作用が弱くなる結果、変形に対する抵抗あるいは変更後の復元も弱くなり、結果的にフンワリ感が不十分となってしまう。
【００８０】
しかも、単にシート接合部７０の伸縮方向の幅７０ｗを０．５〜４ｍｍとするだけで、隣り合うシート接合部７０の間隔７０ｄを４ｍｍ未満又は８ｍｍ超とした場合には次のようになる。すなわち、隣り合うシート接合部７０の間隔７０ｄは襞８０の高さ８０ｈや幅に影響するものであり、隣り合うシート接合部の間隔が２ｍｍ程度であると伸縮方向に連続固定した場合と同様の縦方向の連続性に乏しい襞８０となってしまい（伸縮方向に間欠的にシート接合部７０を設ける意味が無くなる）、３ｍｍでは襞８０は伸縮方向と直交する方向に真直ぐに延びるが、隣り合う襞８０が支え合う作用は期待できず、フンワリ感は不足する。また、シート接合部７０の間隔７０ｄが８ｍｍを超えると、包装時の圧縮により襞８０が不規則に潰れてしまい、製品の見栄えが悪くなる。これに対して、シート接合部７０の伸縮方向の幅７０ｗを０．５〜４ｍｍとし、かつシート接合部７０の間隔７０ｄを４〜８ｍｍとしたときに初めて、十分なフンワリ感が得られ、また、包装時の圧縮により襞８０が不規則に潰れにくいものとなる。
【００８１】
なお、シート接合部７０の幅７０ｗは柔軟性を高めるためには狭く、例えば１ｍｍ以下とすることが望ましいが、第２ホットメルト接着剤７２による弾性部材１９の固定力の低下は避けられないため、前述のように伸縮領域２２，２３の端部では弾性部材１９をより保持力の高い第１ホットメルト接着剤７１を介して固定することは非常に重要となる。
【００８２】
隣り合う弾性部材１９の間隔１９ｄは適宜定めることができるが、１０ｍｍを超えると、縦方向間欠接合形態ほどではないが、襞８０の厚みが伸縮方向と交差する方向に変化し、もこもことしてくるため、本発明では、隣り合う弾性部材１９の間隔１９ｄは１０ｍｍ以下、特に３〜７ｍｍとすることが好ましい。
【００８３】
シート接合部７０（第２ホットメルト接着剤７２）の形状は適宜定めることができ、波状としたり、弾性部材１９に対して斜め方向に延びる形状としたりすることもできるが、弾性部材１９に対して直交する方向に直線的に延びる形状とすることが好ましい。
【００８４】
第２ホットメルト接着剤７２に代えて、第１シート層１２Ｓ及び第２シート層１２Ｈをヒートシールや超音波シールにより直接溶着して接合することができる。この場合、伸縮領域２２，２３の端部に配置される第１ホットメルト接着剤７１の接着領域以外には、第１シート層１２Ｓ及び第２シート層１２Ｈ間にホットメルト接着剤を有しないものとなる。
【００８５】
（ホットメルト接着剤）
第１ホットメルト接着剤７１及び第２ホットメルト接着剤７２としては、例えばＥＶＡ系、粘着ゴム系（エラストマー系）、オレフィン系、ポリエステル・ポリアミド系などの種類のものが存在し、特に限定無く使用できる。第１ホットメルト接着剤７１及び第２ホットメルト接着剤７２として同種のものを用いることもできるが、第１ホットメルト接着剤７１の保持力は、第２ホットメルト接着剤７２の保持力よりも高いことが好ましい。特に、第１ホットメルト接着剤７１の保持力が１２０分超であるのが好ましく、第２ホットメルト接着剤７２の保持力は３０〜９０分であるのが好ましい。このように、第１ホットメルト接着剤７１の保持力が、第２ホットメルト接着剤７２の保持力よりも高いものであると、伸縮領域２２，２３の端部では弾性部材１９をより強固に固定し、伸縮領域２２，２３の端部以外の領域ではより柔軟に第１シート層１２Ｓ及び第２シート層１２Ｈを接合することができる。この場合、伸縮領域２２，２３の端部における弾性部材１９が第１ホットメルト接着剤７１により固定された部分についてはより硬い肌触りとなるものの、その影響は局所的となる。そして、伸縮領域２２，２３の端部では弾性部材１９が強固に固定されているため、それ以外の領域における第２ホットメルト接着剤７２は弾性部材１９の固定機能を殆ど担う必要がなく、第１シート層１２Ｓ及び第２シート層１２Ｈを接合できれば足りるため、保持力がより低いものでも問題がなく、かえって主たる伸縮領域がより柔軟になるという利点がもたらされる。
【００８６】
また、一般に溶融粘度の高いホットメルト接着剤は保持力が高いため、第１ホットメルト接着剤７１の溶融粘度は、第２ホットメルト接着剤７２の溶融粘度よりも高いことが望ましい。具体的には、第１ホットメルト接着剤７１は温度１４０℃における溶融粘度が１０，０００〜４０，０００ｍｐａｓ、温度１６０℃における溶融粘度が５，０００〜１０，０００ｍｐａｓのものが好ましく、第２ホットメルト接着剤７２は温度１４０℃における溶融粘度が３，０００〜７，０００ｍｐａｓ、温度１６０℃における溶融粘度が１，０００〜４，０００ｍｐａｓのものが好ましい。
【００８７】
また、ループタック粘着力が高いホットメルト接着剤は不織布同士の接着に適しているため、第２ホットメルト接着剤７２のループタック粘着力が、第１ホットメルト接着剤７１のループタック粘着力よりも高いことが望ましい。具体的には、第１ホットメルト接着剤７１のループタック粘着力は１０〜５００ｇ／２５ｍｍのものが好ましく、第２ホットメルト接着剤７２のループタック粘着力は１，０００ｇ／２５ｍｍ以上のものが好ましい。
【００８８】
さらに、第１ホットメルト接着剤７１の剥離強度が縦横ともに１００ｃＮ／２５ｍｍ以上であり、第２ホットメルト接着剤７２の剥離強度が縦横ともに１００ｃＮ／２５ｍｍ以上であると、より好ましい。
【００８９】
このような要件を満たす第１ホットメルト接着剤７１及び第２ホットメルト接着剤７２はホットメルト接着剤メーカーから容易に入手することができる。
【００９０】
第１ホットメルト接着剤７１及び第２ホットメルト接着剤７２の目付け（塗布量）は適宜定めることができるが、３〜３０ｇ／ｍ2の範囲内とすることが好ましく、特に１０〜２０ｇ／ｍ2の範囲内とすることが好ましい。
【００９１】
（第１ホットメルト接着剤及び第２ホットメルト接着剤の位置関係）
第１ホットメルト接着剤７１による各接着領域の少なくとも一部は、図１２（ｄ）（ｆ）（ｇ）、図１４（ｄ）（ｇ）、及び図１６（ｄ）（ｆ）（ｇ）に示すように、第２ホットメルト接着剤７２を介さずに弾性部材１９と第１シート層１２Ｓ及び第２シート層１２Ｈの少なくとも一方とを接着することが好ましい。第１ホットメルト接着剤７１の保持力が第２ホットメルト接着剤７２より高い場合であっても、接着対象間に第１ホットメルト接着剤７１の層及び第２ホットメルト接着剤７２の層が介在する場合（二重塗布の場合）、第２ホットメルト接着剤７２の層のみが介在する場合と比べるならば弾性部材１９の固定力は高くなるものの、第２ホットメルト接着剤７２の層が介在する分だけ当該層の凝集破壊が起こりやすく、弾性部材１９の固定力は低下するからである。
【００９２】
このため、弾性部材１９の通過位置において第１ホットメルト接着剤７１の位置と第２ホットメルト接着剤７２の位置とが重ならないように配置することも考えられる（図示略）。ただし、このように第１ホットメルト接着剤７１及び第２ホットメルト接着剤７２の位置を異なるものとする場合、それぞれ間欠的に塗布することが必要となり、その正確な位置制御は少なからず困難である。
【００９３】
よって、図７、図１０、及び図１１〜図１６に示すように、第２ホットメルト接着剤７２は少なくとも伸縮方向に間欠的なパターンで、伸縮領域２２，２３の端部を含めて配置（二重塗布）し、伸縮領域２２，２３の端部では第１ホットメルト接着剤７１を各第２ホットメルト接着剤７２の幅よりも長く伸縮方向に連続させるのは好ましい形態である。これにより、第１ホットメルト接着剤７１の配置部分において、第１ホットメルト接着剤７１及び第２ホットメルト接着剤７２の重なる二重部分が一部形成されるものの、第２ホットメルト接着剤７２間に第１ホットメルト接着剤７１の一重部分も確実に形成されるため、弾性部材１９を第１ホットメルト接着剤７１のみを介して接着することができる。この場合における第１ホットメルト接着剤７１の連続幅７１ｗは適宜定めれば良いが、第２ホットメルト接着剤７２の幅７２ｗの５倍以上であることが好ましく、また、隣接する第２ホットメルト接着剤７２の伸縮方向の間隔７２ｄの１．５倍以上、特に２倍以上であることが好ましい。通常の場合、第１ホットメルト接着剤７１が第２ホットメルト接着剤７２を介さずに弾性部材１９を接着する部分の総幅は５〜３０ｍｍ程度とすることが好ましい。また、第２ホットメルト接着剤７２の好ましい間欠パターンとしては後述する交差方向連続接合形態を例示することができる。
【００９４】
＜伸縮構造の形成方法＞
図１７は、パンツタイプ使い捨ておむつの製造における組立工程の要部を示している。すなわち、第１シート層１２Ｓ及び第２シート層１２ＨをＭＤ方向に連続的に移送しつつ、第１シート層１２Ｓ及び第２シート層１２Ｈ間に弾性部材１９をＭＤ方向に連続的に挟み、弾性部材１９を第１シート層１２Ｓ及び第２シート層１２Ｈの少なくとも一方に固定した後、伸縮領域２２と弾性部材１９を切断した非伸縮領域２１とがＭＤ方向に交互に３繰り返し、かつＭＤ方向の両端が伸縮領域２２となる単位伸縮構造２５を、ＭＤ方向に繰り返し形成する工程を経て、図示しないが、ＣＤ方向一方側の前身頃とＣＤ方向他方側の後身頃を合わせるように折り畳んだ後、サイドシール部１２Ａを形成するとともに、個々の製品となる部分の境界１０１で切断する。なお、図１７に示されるフローは、図１０に示すのと同様の外装二分割タイプのパンツタイプ使い捨ておむつの製造を想定したものである。
【００９５】
弾性部材１９の固定に際しては、図１８に示すように、ＭＤ方向に隣接する一対の単位伸縮構造の伸縮領域の端部２０となる部分、及び伸縮領域２２，２３の非伸縮領域２１側の端部となる部分にそれぞれ配置した第１ホットメルト接着剤７１の塗布領域１０１〜１０３で、弾性部材１９を第１シート層１２Ｓ及び第２シート層１２Ｈの少なくとも一方に第１ホットメルト接着剤７１を介して固定する。第１ホットメルト接着剤７１の塗布は、弾性部材１９に対して行っても、また第１シート層１２Ｓ及び第２シート層１２Ｈの少なくとも一方に行ってもよい。なお、図１８では、分かりやすさのため、第２ホットメルト接着剤７２の図示を省略している。
【００９６】
第１シート層及び第２シート層の接合を前述のように第２ホットメルト接着剤により行う場合は、第１ホットメルト接着剤７１を弾性部材１９、又は第１シート層１２Ｓ及び第２シート層１２Ｈの少なくとも一方に塗布し、第２ホットメルト接着剤７２を第１シート層１２Ｓ及び第２シート層１２Ｈの少なくとも一方に塗布し、両シート層１２Ｓ，１２Ｈを張り合わせるのと同時に弾性部材１９を両シート層１２Ｓ，１２Ｈ間に挟み込めばよい。この場合、第２ホットメルト接着剤７２の塗布方式は特に限定されるものではないが、シート接合部７０の伸縮方向の幅７０ｗを細く、例えば１ｍｍ以下とする場合、第２ホットメルト接着剤７２の塗布幅が狭くなり、カーテンやベタ等のようにノズルから噴射する塗布方式による間欠塗布では塗布が困難なため、細幅塗布に好適なパターンコート（凸版方式での第２ホットメルト接着剤７２の転写）を採用することが望ましい。
【００９７】
図１９は、第２ホットメルト接着剤７２の塗布にパターンコートを用いた製造フローの一例を示している。すなわち、このパターンコート式の設備例は、第２シート層１２Ｈと、第２シート層１２Ｈ側の面に第２ホットメルト接着剤７２を塗布した第１シート層１２Ｓとの間に弾性部材１９を挟むようにして、一対のニップロール１０１間に送り込み、圧着させて図１１及び図１２に示す伸縮構造を形成するものである。第１シート層１２Ｓは、ニップロール１０１に送り込まれる前に、前述のシート接合部７０と対応する凸パターン、つまり外周面上に周方向に（搬送方向、ＭＤ方向。伸縮方向となる方向である。）に間欠的、かつ軸方向（搬送方向と交差する方向、ＣＤ方向）に連続的となる縞状の凸パターンを有する版ロール１０２と接触され、版ロール１０２の凸パターン上に保持された第２ホットメルト接着剤７２が転写塗布される。符号１０３は版ロール１０２の凸パターンに第２ホットメルト接着剤７２を所定の厚さで転写塗布するためのホットメルト接着剤供給ロール（凸版印刷におけるアニロックスロール）を示しており、符号１０４はホットメルト接着剤供給ロール１０３に第２ホットメルト接着剤７２を供給する供給ノズルを示している。
【００９８】
図示形態では、弾性部材１９の固定端部１９を固定するための第１ホットメルト接着剤７１は、弾性部材１９と直交する方向に間欠的に、かつ弾性部材１９と重なるように配置するために、圧着位置よりも上流側における弾性部材１９の搬送過程で、その搬送位置に配置されたノズル１０５から弾性部材１９の外周面に搬送方向に間欠的に塗布するようになっているが、パターンコートやスプレー、カーテンコート等の適宜のノズルにより、第１シート層１２Ｓ及び第２シート層１２Ｈの少なくとも一方に対して搬送方向に間欠的に塗布しても良い。
【００９９】
単位伸縮構造をＭＤ方向に繰り返し形成する際、非伸縮領域２１をＭＤ方向に間欠的に形成する。非伸縮領域２１は、弾性部材１９を第１シート層１２Ｓ及び第２シート層１２Ｈの少なくとも一方に固定した後、非伸縮領域２１とする領域において、弾性部材１９を幅方向中間の１か所又は複数か所で切断するか、又は弾性部材１９のほぼ全体を細かく切断し、伸縮領域２２に伸縮性を残しつつ非伸縮領域２１では伸縮性を殺すことにより構築することができる。弾性部材１９の切断は、加圧のみで切断したり、また加圧しつつ加圧部位を加熱して切断したり、公知の方法を特に限定なく使用できる。図１７に示す例では、切断凸部８２を有する加圧部８１を外周面に備え、切断凸部８２が所望の温度に加熱されるシールロール８０と、これに対向配置された表面平滑なアンビルロール９０とにより、第１シート層１２Ｓ及び第２シート層１２Ｈ間に弾性部材１９を取り付けた切断対象を挟み、切断凸部８２とアンビルロール９０の外周面との間に挟まれる部位のみ弾性部材１９を加圧及び加熱して切断するものである。図示しないが、複数か所で切断する場合は、周方向の複数か所に切断凸部８２を有するシールロール８０を用いれば良い。
【０１００】
切断パターンとしては、例えば図２０（ａ）（ｂ）に示すように、非伸縮領域２１のＭＤ方向中間の１か所で弾性部材を切断するパターンのほか、図２０（ｃ）に示すように、非伸縮領域２１のＭＤ方向の多数個所で弾性部材のほぼ全体を細かく切断するパターンを採用することができる。前者の場合、製品では、非伸縮領域２１における第１シート層１２Ｓ及び第２シート層１２Ｈ間に、間欠伸縮領域２２の弾性部材１９から連続する切断残部のみが不要弾性部材１９ｒとして残り、溶融跡１２ｖが一本だけ切断痕跡として残ることになる。後者の場合、製品では、非伸縮領域２１における第１シート層１２Ｓ及び第２シート層１２Ｈ間に、間欠伸縮領域２２の弾性部材１９から連続する切断残部、及び両方の間欠伸縮領域２２の弾性部材１９と連続しない弾性部材の切断片が、不要弾性部材１９ｒとして前後方向及び幅方向に間欠的に残り、溶融跡１２ｖが切断痕跡として前後方向及び幅方向に間欠的に残ることになる。
【０１０１】
なお、非伸縮領域２１にはシート接合部７０を設けなくても良いが、第１シート層１２Ｓが第２シート層１２Ｈに対してずれたり、浮いたりするのは好ましくないため、第２ホットメルト接着剤７２によるシート接合部７０を設けるのが好ましい。非伸縮領域２１のシート接合部７０は、２枚のシート層１２Ｓ，１２Ｈが接合される限り特に限定されるものではないが、前述の交差方向連続接合形態で形成されていると、非伸縮領域２１における不要弾性部材１９ｒが２枚のシート層１２Ｓ，１２Ｈに対してホットメルト接着剤により固定されるため好ましい。
【０１０２】
製造容易性及び製造安定性の観点からは、図７及び図１０に示すように、非伸縮領域２１における第２ホットメルト接着剤７２によるシート接合部７０の形状、寸法、数、及び配置等は、間欠伸縮領域２２における第２ホットメルト接着剤７２によるシート接合部７０と同様とすることが望ましい。もちろん、非伸縮領域２１における第２ホットメルト接着剤７２によるシート接合部７０の形状、寸法、数、及び配置等は、間欠伸縮領域２２における第２ホットメルト接着剤７２によるシート接合部７０と異なるものとしても良い。
【０１０３】
（第１ホットメルト接着剤の塗布）
特徴的には、図１８に示すように、第１ホットメルト接着剤７１の塗布に際し、ＭＤ方向に隣り合う塗布領域の間隔７１ｄはすべて同じとし、かつ塗布領域のＭＤ方向長さ７１ｗをすべて同じとする。これにより、製造設備の始動時における第１ホットメルト接着剤７１の塗布位置の位置決めにおいて、始点となる塗布領域を誤る状況が原理的に発生しない。すなわち、前述のパンツタイプ使い捨ておむつを製造する場合、第１ホットメルト接着剤７１は、個々の製品となる部分の境界１０１のＭＤ方向両側にわたる第１塗布領域１１１、伸縮領域２２から非伸縮領域２１に変化する境界１０２の伸縮領域２２側に隣接する第２塗布領域１１２、及び非伸縮領域２１から伸縮領域２２に変化する境界１０３の伸縮領域２２側に隣接する第３塗布領域１１３を１サイクルとして塗布することとなり、その際、各塗布領域１１２〜１１３の間隔７１ｄ及びＭＤ方向寸法７１ｗ（伸縮方向寸法）が同じであると、始点となる塗布領域１１２〜１１３を区別する必要がなくなり、どの塗布領域１１２〜１１３を始点としても、非伸縮領域２１における弾性部材１９の切断位置ＣＴに対する所定位置に確実に第１ホットメルト接着剤７１を塗布することができるようになる。よって、製造設備の始動時における第１ホットメルト接着剤７１の塗布位置の位置決めを誤ることがなくなり、製造が非常に容易になる。
【０１０４】
なお、第１ホットメルト接着剤におけるＭＤ方向に隣り合う塗布領域の間隔７１ｄ、及び塗布領域のＭＤ方向長さ７１ｗは適宜定めれば良い。通常の場合、ＭＤ方向に隣り合う塗布領域の間隔７１ｄは伸縮領域２２のＭＤ方向長さの４５〜９５％程度とすることが好ましく、具体的な長さとしては６５〜１３０ｍｍとすることが好ましい。また、塗布領域のＭＤ方向長さ７１ｗは伸縮領域２２のＭＤ方向長さの５〜３５％程度とすることが好ましく、具体的な長さとしては８〜５０ｍｍとすることが好ましい。
【０１０５】
＜その他＞
図７及び図１０に示される例は、パンツタイプ使い捨ておむつの外装体１２の主にウエスト下方部Ｕに本発明の伸縮構造を適用したものであるが、図示しないがウエスト部Ｗまで含め外装体１２の伸縮構造の前後方向の全体にわたり本発明の伸縮構造を適用することができる。また、上述のパンツタイプ使い捨ておむつの伸縮構造は、その一端から他端にかけて伸縮領域２２、非伸縮領域２１、伸縮領域２２の順に３領域を有するものであるが、伸縮領域２２及び非伸縮領域２１が交互に繰り返し、伸縮方向の両端が伸縮領域２２となる限り、３領域以上繰り返していてもよい。また、上述の伸縮構造は、立体ギャザー、テープタイプ使い捨ておむつの背側部分の胴周り部、脚周り部若しくはファスニングテープ等、他の伸縮部にも適用することができる。
【０１０６】
＜明細書中の用語の説明＞
明細書中で以下の用語が使用される場合、明細書中に特に記載が無い限り、以下の意味を有するものである。
・「前後（縦）方向」とは腹側（前側）と背側（後側）を結ぶ方向を意味し、「幅方向」とは前後方向と直交する方向（左右方向）を意味する。
【０１０７】
・「ＭＤ方向」及び「ＣＤ方向」とは、製造設備における流れ方向（ＭＤ方向）及びこれと直交する横方向（ＣＤ方向）を意味し、いずれか一方が前後方向となるものであり、他方が幅方向となるものである。不織布のＭＤ方向は、不織布の繊維配向の方向である。繊維配向とは、不織布の繊維が沿う方向であり、例えば、ＴＡＰＰＩ標準法Ｔ４８１の零距離引張強さによる繊維配向性試験法に準じた測定方法や、前後方向及び幅方向の引張強度比から繊維配向方向を決定する簡易的測定方法により判別することができる。
【０１０８】
・「展開状態」とは、収縮や弛み無く平坦に展開した状態を意味する。
【０１０９】
・「伸長率」は、自然長を１００％としたときの値を意味する。
【０１１０】
・「人工尿」は、尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％を混合したものであり、特に記載の無い限り、温度４０度で使用される。
【０１１１】
・「ゲル強度」は次のようにして測定されるものである。人工尿４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【０１１２】
・「目付け」は次のようにして測定されるものである。試料又は試験片を予備乾燥した後、標準状態（試験場所は、温度２０±５℃、相対湿度６５％以下）の試験室又は装置内に放置し、恒量になった状態にする。予備乾燥は、試料又は試験片を相対湿度１０〜２５％、温度５０℃を超えない環境で恒量にすることをいう。なお、公定水分率が０．０％の繊維については、予備乾燥を行わなくてもよい。恒量になった状態の試験片から米坪板(２００ｍｍ×２５０ｍｍ、±２ｍｍ)を使用し、２００ｍｍ×２５０ｍｍ（±２ｍｍ）の寸法の試料を切り取る。試料の重量を測定し、２０倍して１平米あたりの重さを算出し、目付けとする。
【０１１３】
・「厚み」は、自動厚み測定器（ＫＥＳ−Ｇ５  ハンディー圧縮試験機）を用い、荷重：１０ｇｆ／ｃｍ2、及び加圧面積：２ｃｍ2の条件下で自動測定する。
【０１１４】
・「吸水量」は、ＪＩＳ  Ｋ７２２３−１９９６「高吸水性樹脂の吸水量試験方法」によって測定する。
【０１１５】
・「吸水速度」は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
【０１１６】
・ホットメルト接着剤の「剥離強度」は、以下のようにして測定されるものである。すなわち、繊度１．４４ｄｔｅｘ、目付け１７ｇ／ｍ2のＰＰ繊維からなる疎水性スパンボンド不織布３０１を２枚（それぞれＭＤ方向１００ｍｍ以上×ＣＤ方向７５ｍｍ以上）用意し、一方の不織布３０１のＣＤ方向中央領域に２５ｍｍの塗布幅でＭＤ方向に連続的に、測定対象のホットメルト接着剤３０２を２０ｇ／ｍ2の塗布量で塗布し、このホットメルト接着剤３０２を介して他方の不織布３０１をＭＤ方向及びＣＤ方向を合わせて接着した後、その上から２ｋｇのローラーを１往復させて圧着させ、図２２に示す不織布接着体３００を作製する。次に、この不織布接着体３００から、図２２に点線で示す切断線で切断し、ＭＤ方向７５ｍｍ×ＣＤ方向２５ｍｍで全面が接着された縦方向試験片３１０と、ＭＤ方向２５ｍｍ×ＣＤ方向７５ｍｍで、ＣＤ方向両端から２５ｍｍの非接着部分３２１と、その間のＭＤ方向２５ｍｍ×ＣＤ方向２５ｍｍの接着部分３２２を有する横方向試験片３２０を作製する。そして、縦方向試験片３１０では、図２２に二点鎖線で示すように、ＭＤ方向一端から２５ｍｍの端部の両不織布を剥離（コールドスプレーを対象部分に吹き付けることにより対象部分の接着力を低下させて剥離する）してつかみ代３１１を形成し、各不織布のつかみ代３１１を引張試験機の上下つかみ具でそれぞれつかみ、つかみ具間隔３０ｍｍ、引張速度３００ｍｍ／ｍｉｎの条件で、図２３に示すように残りの接着部分３１２を剥離し、その引き剥がしに要する引張力（ｃＮ／２５ｍｍ）を測定する。横方向試験片３２０では、ＣＤ方向一端部の非接着部分３２１の各不織布を引張試験機の上下つかみ具でそれぞれつかむ以外は、縦方向試験片３１０と同様にして試験を行う。剥離部分の破壊状態を観察し、界面破壊（界面剥離）及び凝集破壊のときには、縦軸を引張力とする測定曲線のうち、剥離開始以降（曲線が上がり切った後）の波状部分から最初の５つの頂点及び最初の５つの底点を選び、各点の引張力の平均値を測定値とする。また、材料破壊（基材破壊）のときには、引張力の最大値を測定値とする。以上の測定を、縦方向試験片３１０及び横方向試験片３２０のそれぞれについて３回実施し、それぞれ３回の測定値を平均して縦の剥離強度及び横の剥離強度とする。
【０１１７】
・ホットメルト接着剤の「保持力」は、以下のようにして測定されるものである。すなわち、図２４に示すように、２５μｍ厚のＰＥＴフィルムを用意し、長さ１００ｍｍ×幅２５ｍｍの２枚の長方形ＰＥＴフィルム４０１の長手方向の端部（長手方向の一端から２５ｍｍの部分）同士を、測定対象のホットメルト接着剤層４０２を介して接着した試験片４００を作製する。試験片４００の接着部分４０３は２５ｍｍ×２５ｍｍとなる。このホットメルト接着剤層４０２はスロット塗布により２０ｇ／ｍ2の厚みで塗布し、接着後、接着部分４０３の上から２ｋｇのローラーを１往復させて圧着させた後、試験片４００を常温（２３℃）下で１６時間放置し、さらに図２５に示すように試験片４００の両端部のＰＥＴフィルム４０１を、厚み方向にネジで締め付けるつかみ具４０４でつかみ、接着部分４０３に力が加わらないように、クリープ試験機（恒温槽）内に４０℃で２時間放置する。その後、クリープ試験機内に、図２５に示すように一方のつかみ具４０４を上にして吊り下げ、他方のつかみ具４０４に錘４０５を吊るし、錘４０５及び錘側のつかみ具４０５の合計で１ｋｇの鉛直荷重をかけ、荷重をかけ始めた時から接着部分４０３が完全に剥がれ、錘４０５側のＰＥＴフィルムが剥がれ落ちるまでの時間を測定する。測定は１２０分までとし、１２０分経過までに錘が落下しなかったときには測定結果は「１２０分超」とする。以上の測定を３回行い、測定結果の平均値を保持力（分）とする。３回の測定結果に、１２０分超が１回、１２０分以下が２回あったときには、１２０分以下の２回の測定結果の平均値を保持力とし、１２０分超が２回、１２０分以下が１回あったときには、１２０分以下の１回の測定結果を保持力とし、３回とも１２０分超のときには保持力は１２０分超とする。
【０１１８】
・「ループタック粘着力」は、次のように測定される値を意味する。すなわち、ホットメルト接着剤を厚さが５０μｍのＰＥＴ板上に５０μｍの厚みで塗布する。これを、幅２５ｍｍ、長さ１２５ｍｍの大きさに切取り、テープ状とした後、そのテープの両端を重ね合わせることでループ状とする。このループを、ＬＴ−１００型ループタックテスター（ケムインストルメント社製）に固定した後、ＰＥ（ポリエチレン）板に対して、２５ｍｍ×２５ｍｍの接着面積で、接着時間２秒で接着する。次いで、２０℃で、引き剥がし速度３００ｍｍ／分でループ状のテープを引き剥がし、最大の力を測定し、ループタック粘着力とする。
【０１１９】
・「溶融粘度」は、ＪＩＳ  Ｚ  ８８０３に従い、ブルックフィールドＢ型粘度計（スピンドルＮｏ．０２７）を用いて、規定の温度で測定されるものである。
【０１２０】
・試験や測定における環境条件についての記載が無い場合、その試験や測定は、標準状態（試験場所は、温度２０±５℃、相対湿度６５％以下）の試験室又は装置内で行うものとする。
【０１２１】
・各部の寸法は、特に記載が無い限り、自然長状態ではなく展開状態における寸法を意味する。
【産業上の利用可能性】
【０１２２】
本発明は、上記例のようなパンツタイプ使い捨ておむつに好適なものであるが、テープタイプ若しくはパッドタイプの使い捨ておむつはもちろん、生理用ナプキン等、使い捨て着用物品全般における伸縮構造及びその製造方法に適用できるものである。
【符号の説明】
【０１２３】
１１…液不透過性シート、１２…外装体、１２Ａ…サイドシール部、１２Ｈ…第２シート層、１２Ｓ…第１シート層、１２ｒ…折り返し部分、１９…弾性部材、２０…伸縮領域の端部、２００…内装体、２１…非伸縮領域、２２，２３…伸縮領域、２２…間欠伸縮領域、２３…連続伸縮領域、３０…トップシート、４０…中間シート、５０…吸収要素、５６…吸収体、５８…包装シート、６０…立体ギャザー、６２…ギャザーシート、７０…シート接合部、７１…第１ホットメルト接着剤、７２…第２ホットメルト接着剤、８０…襞、ＣＴ…切断位置。
【図１】
2018051180.tif 000003
【図２】
2018051180.tif 000004
【図３】
2018051180.tif 000005
【図４】
2018051180.tif 000006
【図５】
2018051180.tif 000007
【図６】
2018051180.tif 000008
【図７】
2018051180.tif 000009
【図８】
2018051180.tif 000010
【図９】
2018051180.tif 000011
【図１０】
2018051180.tif 000012
【図１１】
2018051180.tif 000013
【図１２】
2018051180.tif 000014
【図１３】
2018051180.tif 000015
【図１４】
2018051180.tif 000016
【図１５】
2018051180.tif 000017
【図１６】
2018051180.tif 000018
【図１７】
2018051180.tif 000019
【図１８】
2018051180.tif 000020
【図１９】
2018051180.tif 000021
【図２０】
2018051180.tif 000022
【図２１】
2018051180.tif 000023
【図２２】
2018051180.tif 000024
【図２３】
2018051180.tif 000025
【図２４】
2018051180.tif 000026
【図２５】
2018051180.tif 000027
【手続補正書】
【提出日】平成29年5月24日(2017.5.24)
【手続補正１】
【補正対象書類名】明細書
【補正対象項目名】全文
【補正方法】変更
【補正の内容】
【発明の詳細な説明】
【技術分野】
【０００１】
本発明は、使い捨て着用物品の伸縮構造及びその形成方法に関する。
【背景技術】
【０００２】
使い捨て着用物品においては、各部のフィット性を改善するために伸縮構造を設けることが一般的となっている。例えば、パンツタイプやテープタイプの使い捨ておむつにおいては、胴周り部に胴周り方向の伸縮構造を設けたり、脚周り部に脚周りに沿う方向の伸縮構造を設けたりすることが広く行われている。さらに、パンツタイプやテープタイプの使い捨ておむつはもちろん、生理用ナプキン、使い捨て水着、使い捨ておむつカバーを含めた使い捨て着用物品全般にわたり、立体ギャザーや平面ギャザーと呼ばれる前後方向の伸縮構造を設けることも広く行われている（例えば、特許文献１〜５参照）。
【０００３】
このような使い捨て着用物品の伸縮構造の代表的なものは、第１シート層と、この第１シート層の一方の面に対向する第２シート層と、これら第１シート層及び第２シート層の間に、伸縮方向に沿ってかつ互いに間隔を空けて設けられた複数本の細長状の弾性部材とを備えるものである。第１シート層及び第２シート層は面状の伸縮領域を形成するとともに、弾性部材を被覆、隠蔽する役割を担い、第１シート層及び第２シート層間に内蔵される弾性部材は、弾性伸縮のための力を生み出す役割を担うものである。弾性部材は、伸縮方向に伸長された状態で、伸縮領域の少なくとも両端部で第１シート層及び第２シート層に固定される。この固定により、弾性部材と第１シート層及び第２シート層とが一体化され、第１シート層及び第２シート層シート層は弾性部材の収縮力により収縮して襞又は皺が形成され、またこの収縮状態から弾性部材の収縮力に抗して伸長されると、襞や皺が展開される。通常、シート層は弾性伸長限界では襞や皺が無い展開状態となり、弾性部材の収縮に伴って襞が寄り、自然長状態では最も密に襞が寄る。現在では、弾性部材を第１シート層及び第２シート層に固定する手段としては、ほとんどの場合、ホットメルト接着剤が選択されている。
【０００４】
また、第１シート層及び第２シート層は、伸縮方向及びこれと直交する方向の少なくとも一方において間欠的に、又は連続的に接合される。これは、第１シート層及び第２シート層の接合がほとんどない場合、一方が他方に対して大きく浮いたり、ずれたりすることにより、見栄えや装着感が悪化するからである。第１シート層及び第２シート層の接合形態は、第１シート層及び第２シート層に対する弾性部材の固定を兼ねて、少なくとも弾性部材の通過位置でホットメルト接着剤を介して第１シート層及び第２シート層を接合する兼用形態（特許文献１〜３参照）と、第１シート層及び第２シート層に対する弾性部材の固定を兼ねずに、弾性部材の通過位置以外で超音波溶着等の溶着により第１シート層及び第２シート層を接合する独立形態（特許文献４，５参照）とに大別される。
【０００５】
他方、使い捨て着用物品においては、任意の部分にのみ伸縮性を付与する場合であっても、製造を容易にするために、伸縮方向に連続的に弾性部材を取り付けた後、伸縮性が不要な非伸縮領域については、弾性部材による収縮力が作用しない状態に加工する（以下、伸縮性を殺すともいう）ことが行われてきた。例えば、パンツタイプ使い捨ておむつの胴周りに幅方向の伸縮性を付与する場合、幅方向全体にわたり細長状の弾性部材を取り付けた後、吸収体と重なる幅方向中央部を細かく切断し、当該部分の伸縮性を殺すとともに、その幅方向両側の領域を伸縮領域とすることが広く行われている。
【０００６】
製造に際しては、第１シート層及び第２シート層をＭＤ方向に連続的に移送しつつ、第１シート層及び第２シート層間に細長状の弾性部材をＭＤ方向に連続的に挟み、第１シート層及び第２シート層の貼り合わせ、及び弾性部材の第１シート層及び第２シート層の少なくとも一方に対する固定を行った後、非伸縮領域となるＭＤ方向位置で弾性部材の切断加工を行い、その後、内装体の取り付け、前身頃及び後身頃の接合、個々の製品となる部分の境界で切断することが一般的である。
【０００７】
ここで、伸縮領域の伸縮方向の両端部における弾性部材の固定をホットメルト接着剤により行う場合、例えば図２１に示すように、第１シート層１２Ｓ及び第２シート層１２Ｈの貼り合わせに先立ち、ＭＤ方向に所定の間隔を空けて、弾性部材１９、第１シート層１２Ｓ、及び第２シート層１２Ｈの少なくとも一つにホットメルト接着剤７１を塗布した後、第１シート層１２Ｓ及び第２シート層１２Ｈを貼り合わせることにより、弾性部材１９を第１シート層１２Ｓ及び第２シート層１２Ｈの少なくとも一方にホットメルト接着剤７１を介して接着することにより行われる。そして、このホットメルト接着剤７１の塗布を効率的に行うには、個々の製品となる部分の境界１０１のＭＤ方向両側にわたる第１塗布領域１１１、伸縮領域２２から非伸縮領域２１に変化する境界１０２の伸縮領域２２側に隣接する第２塗布領域１１２、及び非伸縮領域２１から伸縮領域２２に変化する境界１０３の伸縮領域２２，２３側に隣接する第３塗布領域１１３を１サイクルとし、１サイクル中のいずれか１つの塗布領域１１１〜１１３を始点として、ＭＤ方向に繰り返しホットメルト接着剤を塗布することとなる。
【０００８】
しかしながら、従来の製品では、図２１（ａ）に示すように、伸縮領域２２の伸縮方向両端部に位置する、第１塗布領域１１１と第２塗布領域１１２とのＭＤ方向（伸縮方向）の間隔７１ｄ、及び第３塗布領域１１３と第１塗布領域１１１とのＭＤ方向（伸縮方向）の間隔７１ｄと、非伸縮領域２１の幅方向両側に位置する第２塗布領域１１２と第３塗布領域１１３とのＭＤ方向の間隔７１ｄとが少し異なっていたり、第１塗布領域１１１のＭＤ方向寸法７１ｗと、第２塗布領域１１２のＭＤ方向寸法７１ｗ及び第３塗布領域１１３のＭＤ方向寸法７１ｗとが少し異なっていたりしたために、次のような問題点があった。
【０００９】
すなわち、製造設備の始動時におけるホットメルト接着剤の塗布位置の位置決めにおいて、図２１（ｂ）（ｃ）に示すように、始点となる塗布領域を誤ると、前述の各塗布領域１１１〜１１３の間隔７１ｄの違いやＭＤ方向寸法７１ｗの違いにより、弾性部材１９の切断位置ＣＴに対してホットメルト接着剤７１の塗布位置がＭＤ方向一方側にズレてしまう。特に、一般的なパンツタイプ使い捨ておむつでは、前述の各塗布領域の間隔の違いやＭＤ方向寸法の違いは小さいため、始点となる塗布領域を誤りやすく、また誤ったときに発見しにくく、この点で製造が困難となっている。なお、図２１（ｂ）に示す状態は、第１塗布領域１１１の位置を誤って第２塗布領域１１２の位置に設定した状態を示しており、図２１（ｃ）に示す状態は、第１塗布領域１１１の位置を誤って第３塗布領域１１３の位置に設定した状態を示している。
【先行技術文献】
【特許文献】
【００１０】
【特許文献１】特開２００４−２２９８５７号公報
【特許文献２】特開２０１３−１３２３３１号公報
【特許文献３】特開２００９−１４８４４７号公報
【特許文献４】特開２００８−２９５９３０号公報
【特許文献５】特開２００９−２９７０９６号公報
【発明の概要】
【発明が解決しようとする課題】
【００１１】
そこで、本発明の主たる課題は、弾性部材による伸縮構造の製造を容易にすることにある。
【課題を解決するための手段】
【００１２】
上記課題を解決した本発明は次のとおりである。
＜第１の態様＞
第１シート層と、この第１シート層の一方の面に対向する第２シート層と、これら第１シート層及び第２シート層の間に設けられた弾性部材とを備えた、使い捨て着用物品の伸縮構造において、
前記伸縮構造は、その伸縮方向の一端から他端まで、伸縮領域及び非伸縮領域が交互に３領域以上繰り返し、かつ伸縮方向の両端が伸縮領域となっており、
前記伸縮領域の前記伸縮方向の両端部に、前記弾性部材が前記第１シート層及び第２シート層の少なくとも一方に接着されたホットメルト接着剤の接着領域を有しており、
展開状態で、
前記伸縮方向に隣り合う接着領域の間隔がすべて同じであるとともに、
前記伸縮構造の伸縮方向の両端部に位置する前記接着領域の伸縮方向長さの２倍と、前記伸縮領域における前記非伸縮領域側の端部に位置する前記接着領域の伸縮方向長さとがすべて同じである、
ことを特徴とする使い捨て着用物品の伸縮構造。
【００１３】
（作用効果）
本態様によれば、製造時において、各接着領域を形成するためのホットメルト接着剤の塗布領域の間隔及び各塗布領域の伸縮方向の寸法がすべて同じとなるため、製造設備の始動時におけるホットメルト接着剤の塗布位置の位置決めにおいて、始点となる塗布領域を誤る状況が原理的に発生しない。すなわち、例えば前述のパンツタイプ使い捨ておむつの場合と同様に、第１塗布領域、第２塗布領域、第３塗布領域を１サイクルとしてホットメルト接着剤を塗布する場合、各塗布領域の間隔及びＭＤ方向寸法（伸縮方向寸法）が同じであると、始点となる塗布領域を区別する必要がなくなり、どの塗布領域を始点としても、弾性部材の切断位置に対する所定位置に確実にホットメルト接着剤を塗布することができるようになる。よって、製造設備の始動時におけるホットメルト接着剤の塗布位置の位置決めを誤ることがなくなり、製造が非常に容易になる。
【００１４】
＜第２の態様＞
前記使い捨て着用物品は、前身頃及び後身頃を構成する外装体と、この外装体に取り付けられた、吸収体を含む内装体とを備え、前身頃における外装体の両側部と後身頃における外装体の両側部とがそれぞれ接合され、この接合された部分と対応する前後方向範囲が環状の胴周り部となるとともに、ウエスト開口及び左右一対の脚開口が形成された、パンツタイプ使い捨ておむつであり、
前記伸縮構造は、前記外装体における胴周り部に、前記弾性部材が幅方向に沿うように設けられており、
前記非伸縮領域は前記胴周り部の幅方向中間部に設けられ、前記伸縮領域は前記非伸縮領域の幅方向両側に設けられている、
第１の態様の使い捨て着用物品の伸縮構造。
【００１５】
（作用効果）
上記伸縮領域及び非伸縮領域を有する伸縮構造は、このようにパンツタイプ使い捨ておむつの外装体における胴周り部に好適なものである。
【００１６】
＜第３の態様＞
前記伸縮領域の前記伸縮方向の両端部におけるホットメルト接着剤の接着領域以外では、前記第１シート層及び第２シート層は少なくとも伸縮方向に間欠的に配置されたホットメルト接着剤を介して接着されているか、又は前記第１シート層及び第２シート層間にホットメルト接着剤を有しない、
第１又は２の態様の使い捨て着用物品の伸縮構造。
【００１７】
（作用効果）
本態様のような構造は、伸縮領域の伸縮方向の両端部以外における柔軟性が高いものとなる。また、本態様のような構造は、伸縮領域の伸縮方向の両端部における弾性部材の固定が重要となるため、前述のように、弾性部材の切断位置に対する所定位置に確実にホットメルト接着剤を塗布できることが特に重要となる。
【００１８】
＜第４の態様＞
第１シート層及び第２シート層をＭＤ方向に連続的に移送しつつ、前記第１シート層及び第２シート層間に弾性部材をＭＤ方向に連続的に挟み、前記弾性部材を前記第１シート層及び第２シート層の少なくとも一方に固定した後、
伸縮領域と前記弾性部材を切断した非伸縮領域とがＭＤ方向に交互に３領域以上繰り返し、かつＭＤ方向の両端が伸縮領域となる単位伸縮構造を、ＭＤ方向に繰り返し形成し、ＭＤ方向に隣接する前記単位伸縮構造の境界で個々の伸縮構造に切断する、使い捨て着用物品の伸縮構造の形成方法において、
前記弾性部材の固定にあたり、
ＭＤ方向に隣接する一対の前記単位伸縮構造の伸縮領域の端部となる部分、及び前記伸縮領域の非伸縮領域側の端部となる部分にそれぞれ配置したホットメルト接着剤の塗布領域で、前記弾性部材を前記第１シート層及び第２シート層の少なくとも一方に前記ホットメルト接着剤を介して固定するとともに、
前記ＭＤ方向に隣り合う塗布領域の間隔をすべて同じとし、かつ
前記塗布領域のＭＤ方向長さをすべて同じとした、
ことを特徴とする使い捨て着用物品の伸縮構造の形成方法。
【００１９】
（作用効果）
第１の態様と同様の作用効果を奏する。
【００２０】
＜第５の態様＞
前記使い捨て着用物品は、前身頃及び後身頃を構成する外装体と、この外装体に取り付けられた、吸収体を含む内装体とを備え、前身頃における外装体の両側部と後身頃における外装体の両側部とがそれぞれ接合され、この接合された部分と対応する前後方向範囲が環状の胴周り部となるとともに、ウエスト開口及び左右一対の脚開口が形成された、パンツタイプ使い捨ておむつであり、
前記伸縮構造は、前記外装体における胴周り部に、前記弾性部材が幅方向に沿うように設けられるものであり、
前記非伸縮領域は前記胴周り部の幅方向中間部に設けられ、前記伸縮領域は前記非伸縮領域の幅方向両側に設けられるものである、
第４の態様の使い捨て着用物品の伸縮構造の形成方法。
【００２１】
（作用効果）
第２の態様と同様の作用効果を奏する。
【００２２】
＜第６の態様＞
前記ＭＤ方向に隣接する一対の前記単位伸縮構造の伸縮領域の端部となる部分、及び前記伸縮領域の非伸縮領域側の端部となる部分の塗布領域以外で、前記第１シート層及び第２シート層を少なくともＭＤ方向に間欠的にホットメルト接着剤を介して接着するか、又は第１シート層及び第２シート層間にホットメルト接着剤を塗布しない、
第４又は５の態様の使い捨て着用物品の伸縮構造の形成方法。
【００２３】
（作用効果）
第３の態様と同様の作用効果を奏する。
【発明の効果】
【００２４】
以上のとおり、本発明によれば、弾性部材による伸縮構造の製造が容易となる、等の利点がもたらされる。
【図面の簡単な説明】
【００２５】
【図１】パンツタイプ使い捨ておむつの内面を示す、おむつを展開した状態における平面図である。
【図２】パンツタイプ使い捨ておむつの外面を示す、おむつを展開した状態における平面図である。
【図３】図１の３−３断面図である。
【図４】図１の４−４断面図である。
【図５】（ａ）図１の５−５断面図、（ｂ）図１の２−２断面図である。
【図６】パンツタイプ使い捨ておむつの斜視図である。
【図７】展開状態の外装体を示す平面図である。
【図８】パンツタイプ使い捨ておむつの外面を示す、おむつを展開した状態における平面図である。
【図９】（ａ）図８の５−５断面図、（ｂ）図８の２−２断面図である。
【図１０】展開状態の外装体を示す平面図である。
【図１１】（ａ）展開状態の伸縮構造の平面図、（ｂ）自然長状態の６−６断面図、及び（ｃ）ある程度伸長した状態の６−６断面図である。
【図１２】図１１における、（ｄ）８−８断面図、（ｅ）７−７断面図、（ｆ）９−９断面図、及び（ｇ）１０−１０断面図である。
【図１３】（ａ）展開状態の伸縮構造の平面図、（ｂ）自然長状態の６−６断面図、及び（ｃ）ある程度伸長した状態の６−６断面図である。
【図１４】図１３における、（ｄ）８−８断面図、（ｅ）７−７断面図、（ｆ）９−９断面図、及び（ｇ）１０−１０断面図である。
【図１５】（ａ）展開状態の伸縮構造の平面図、（ｂ）自然長状態の６−６断面図、及び（ｃ）ある程度伸長した状態の６−６断面図である。
【図１６】図１５における、（ｄ）８−８断面図、（ｅ）７−７断面図、（ｆ）９−９断面図、及び（ｇ）１０−１０断面図である。
【図１７】パンツタイプ使い捨ておむつの製造フローの要部を示す斜視図である。
【図１８】第１ホットメルト接着剤の塗布パターンの例を示す平面図である。
【図１９】伸縮構造の製造フローの要部を示す正面図である。
【図２０】非伸縮領域における各種切断態様を示す要部拡大平面図である。
【図２１】第１ホットメルト接着剤の塗布パターンの従来例を示す平面図である。
【図２２】剥離強度測定試験の試験片の説明図である。
【図２３】剥離強度測定試験の説明図である。
【図２４】保持力測定試験の試験片の説明図である。
【図２５】保持力測定試験の説明図である。
【発明を実施するための形態】
【００２６】
以下、本発明の実施形態について、添付図面を参照しつつ詳説する。
図１〜図７は、パンツタイプ使い捨ておむつの一例を示している。このパンツタイプ使い捨ておむつは、製品外面（裏面）をなす外装体１２と、外装体１２に取り付けられた内装体２００とから構成されているものである。符号２０１は内装体２００と外装体１２との接合領域を示しており、符号Ｙはおむつの全長を示しており、符号Ｘはおむつの全幅を示している。
【００２７】
内装体２００は、尿等の排泄物等を吸収保持する部分であり、外装体１２は内装体２００を身体に装着するための部分である。なお、断面図における点模様部分は各構成部材を接合する接合部分を示しており、ホットメルト接着剤などのベタ、ビード、カーテン、サミット又はスパイラル塗布などにより形成されるものである。
【００２８】
（内装体）
内装体２００は任意の形状を採ることができるが、図示の形態では長方形である。内装体２００は、図３〜図５に示されるように、肌に接する側となるトップシート３０と、液不透過性シート１１と、これらの間に介在された吸収要素５０とを備えているものであり、吸収機能を担う本体部である。符号４０は、トップシート３０を透過した液を速やかに吸収要素５０へ移行させるために、トップシート３０と吸収要素５０との間に設けられた中間シート（セカンドシート）を示しており、符号６０は、内装体２００の両脇に排泄物が漏れるのを防止するために、内装体２００の両側に設けられた、装着者の肌側に起立する立体ギャザー６０を示している。
【００２９】
（トップシート）
トップシート３０は、液を透過する性質を有するものであり、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであれば、エアスルー法、ポイントボンド法、サーマルボンド法が、好ましい加工方法となる。
【００３０】
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００３１】
立体ギャザー６０を設ける場合、トップシート３０の両側部は、液不透過性シート１１と立体ギャザー６０との間を通して、吸収要素５０の裏側まで回り込ませ、液の浸透を防止するために、液不透過性シート１１及び立体ギャザー６０に対してホットメルト接着剤等により接着するのが好ましい。
【００３２】
（中間シート）
トップシート３０と吸収要素５０との間には中間シート（「セカンドシート」とも呼ばれている）４０を設けることができる。この中間シート４０は、液を速やかに吸収体５６側へ移行させて吸収体５６による吸収性能を高めるばかりでなく、吸収体５６からの吸収液の逆戻り現象を防止し、トップシート３０の表面を乾燥した肌触りとするためのものである。中間シート４０は省略することもできる。
【００３３】
中間シート４０としては、トップシート３０と同様の素材や、スパンレース、スパンボンド、ＳＭＳ、パルプ不織布、パルプとレーヨンとの混合シート、ポイントボンド又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは２０〜８０ｇ／ｍ2が好ましく、２５〜６０ｇ／ｍ2がより好ましい。不織布の原料繊維の太さは２．２〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００３４】
図示の形態の中間シート４０は、吸収体５６の幅より短く中央に配置されているが、全幅にわたって設けてもよい。中間シート４０の長手方向長さは、吸収体５６の長さと同一でもよいし、液を受け入れる領域を中心にした短い長さ範囲内であってもよい。
【００３５】
（液不透過性シート）
液不透過性シート１１の素材は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。液不透過性シート１１には、近年、ムレ防止の観点から好まれて使用されている不透液性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。この他にも、マイクロデニール繊維を用いた不織布、熱や圧力をかけることで繊維の空隙を小さくすることによる防漏性強化、高吸水性樹脂又は疎水性樹脂や撥水剤の塗工といった方法により、プラスチックフィルムを用いずに液不透過性としたシートも、液不透過性シート１１として用いることができる。
【００３６】
液不透過性シート１１は、防漏性を高めるために、吸収要素５０の両側を回り込ませて吸収要素５０のトップシート３０側面の両側部まで延在させることもできる。
【００３７】
また、液不透過性シート１１の内側、特に吸収体５６側面に、液分の吸収により色が変化する排泄インジケータを設けることができる。
【００３８】
（立体ギャザー）
立体ギャザー６０は、内装体２００の両側部に沿って前後方向全体にわたり延在する帯状部材であり、トップシート３０上を伝わって横方向に移動する流動性排泄物（尿や軟便等）を遮断し、横漏れを防止するために設けられているものである。本実施の形態の立体ギャザー６０は、内装体２００の側部から起立するように設けられ、付け根側の部分は幅方向中央側に向かって斜めに起立し、中間部より先端側の部分は幅方向外側に向かって斜めに起立するものである。この形態は面接触タイプの立体ギャザーであるが、幅方向外側に折り返されない線接触タイプの立体ギャザー（図示略）も採用することができる。
【００３９】
より詳細には、立体ギャザー６０は、内装体２００の前後方向長さに等しい長さを有する帯状のギャザーシート６２を幅方向に折り返して二つに折り重ねるとともに、折り返し部分及びその近傍のシート間に、細長状弾性部材６３を長手方向に沿って伸長状態で、幅方向に間隔を空けて複数本固定してなるものである。立体ギャザー６０のうち幅方向において折り返し部分と反対側の端部は内装体２００の側縁部の裏面に固定された取付部分６５とされ、この取付部分６５以外の部分は取付部分６５から突出する突出部分６６（折り返し部分側の部分）とされている。また、突出部分６６のうち前後方向両端部は、取付部分６５から内装体２００の側部を通りトップシート３０の側部表面まで延在し、かつこのトップシート３０の側部表面に対してホットメルト接着剤６７等の固定手段により固定された倒伏部分とされ、突出部分６６のうち前後方向中間部は非固定の自由部分とされ、少なくともこの自由部分の前後方向全体にわたり、前後方向に沿う細長状弾性部材６３が伸長状態で固定されている。
【００４０】
ギャザーシート６２としてはスパンボンド不織布（ＳＳ、ＳＳＳ等）やＳＭＳ不織布（ＳＭＳ、ＳＳＭＭＳ等）、メルトブロー不織布等の柔軟で均一性・隠蔽性に優れた不織布に、必要に応じてシリコンなどにより撥水処理を施したものを好適に用いることができ、繊維目付けは１０〜３０ｇ／ｍ2程度とするのが好ましい。細長状弾性部材６３としては糸ゴム等を用いることができる。スパンデックス糸ゴムを用いる場合は、太さは４７０〜１２４０ｄｔｅｘが好ましく、６２０〜９４０ｄｔｅｘがより好ましい。固定時の伸長率は、１５０〜３５０％が好ましく、２００〜３００％がより好ましい。なお、用語「伸長率」は自然長を１００％としたときの値を意味する。また、図示のように、二つに折り重ねたギャザーシートの間に防水フィルム６４を介在させることもできる。
【００４１】
立体ギャザー６０の自由部分に設けられる細長状弾性部材６３の本数は２〜６本が好ましく、３〜５本がより好ましい。配置間隔６０ｄは３〜１０ｍｍが適当である。このように構成すると、細長状弾性部材６３を配置した範囲で肌に対して面で当たりやすくなる。先端側だけでなく付け根側にも細長状弾性部材６３を配置しても良い。
【００４２】
立体ギャザー６０の取付部分６５の固定対象は、内装体２００におけるトップシート３０、液不透過性シート１１、吸収要素５０等適宜の部材とすることができる。
【００４３】
かくして構成された立体ギャザー６０では、細長状弾性部材６３の収縮力が前後方向両端部を近づけるように作用するが、突出部分６６のうち前後方向両端部が倒伏状態に固定されるのに対して、それらの間は非固定の自由部分とされているため、自由部分のみが図３に示すように身体側に当接するように起立する。特に、取付部分６５が内装体２００の裏面側に位置していると、股間部及びその近傍において立体ギャザー６０が幅方向外側に開くように起立するため、立体ギャザー６０が脚周りに面で当接するようになり、フィット性が向上するようになる。
【００４４】
なお、図示形態と異なり、内装体２００の左右各側において立体ギャザーを二重に（二列）設けることもできる。
【００４５】
（吸収要素）
吸収要素５０は、吸収体５６と、この吸収体５６の全体を包む包装シート５８とを有する。包装シート５８は省略することもできる。
【００４６】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。吸収体５６中には高吸収性ポリマー粒子を分散保持させるのが好ましい。
【００４７】
吸収体５６は長方形形状でも良いが、図１及び図２にも示すように、前端部、後端部及びこれらの間に位置し、前端部及び後端部と比べて幅が狭い括れ部とを有する砂時計形状を成していると、吸収体５６自体と立体ギャザー６０の、脚周りへのフィット性が向上するため好ましい。
【００４８】
また、吸収体５６の寸法は適宜定めることができるが、前後方向及び幅方向において、内装体の周縁部又はその近傍まで延在しているのが好ましい。なお、符号５６Ｘは吸収体５６の幅を示している。
【００４９】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子の粒径は、この種の使い捨て着用物品に使用されるものをそのまま使用でき、１０００μｍ以下、特に１５０〜４００μｍのものが望ましい。高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００５０】
高吸収性ポリマー粒子としては、吸水速度が４０秒以下のものが好適に用いられる。吸水速度が４０秒を超えると、吸収体５６内に供給された液が吸収体５６外に逆戻りしやすくなる。
【００５１】
また、高吸収性ポリマー粒子としては、ゲル強度が１０００Ｐａ以上のものが好適に用いられる。これにより、かさだかな吸収体５６とした場合であっても、液吸収後のべとつき感を効果的に抑制できる。
【００５２】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
【００５３】
必要であれば、高吸収性ポリマー粒子は、吸収体５６の平面方向で散布密度あるいは散布量を調整できる。例えば、液の排泄部位を他の部位より散布量を多くすることができる。男女差を考慮する場合、男用は前側の散布密度（量）を高め、女用は中央部の散布密度（量）を高めることができる。また、吸収体５６の平面方向において局所的（例えばスポット状）にポリマーが存在しない部分を設けることもできる。
【００５４】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
【００５５】
包装シート５８の包装形態は適宜定めることができるが、製造容易性や前後端縁からの高吸収性ポリマー粒子の漏れ防止等の観点から、吸収体５６の表裏面及び両側面を取り囲むように筒状に巻き付け、かつその前後縁部を吸収体５６の前後からはみ出させ、このはみ出し部分を表裏方向に潰してホットメルト接着剤等の接合手段により接合する形態が好ましい。
【００５６】
（外装体）
外装体１２は、前後方向中央から腹側に延在する前身頃Ｆを構成する部分と、前後方向中央から背側に延在する後身頃Ｂを構成する部分とを有し、これら前身頃Ｆの両側部と後身頃Ｂの両側部とが接合されて、図６に示すように、装着者の胴を通すためのウエスト開口ＷＯ及び脚を通すための左右一対の脚開口ＬＯが形成されているものである。符号１２Ａは接合部分を示している（以下、この部分をサイドシール部ともいう）。なお、股間部とは、展開状態の使い捨ておむつにおける前身頃Ｆのウエスト縁から後身頃Ｂのウエスト縁までの前後方向中央を意味し、それよりも前側の部分及び後側の部分が前身頃Ｆ及び後身頃Ｂをそれぞれ意味する。
【００５７】
外装体１２は、ウエスト開口ＷＯから脚開口ＬＯの上端に至る前後方向範囲として定まる胴周り部Ｔと、脚開口ＬＯを形成する部分の前後方向範囲（前身頃Ｆのサイドシール部１２Ａを有する前後方向領域と後身頃Ｂのサイドシール部１２Ａを有する前後方向領域との間）として定まる中間部Ｌとを有する。胴周り部Ｔは、概念的にウエスト開口の縁部を形成するウエスト部Ｗと、これよりも下側の部分であるウエスト下方部Ｕとに分けることができる。通常、胴周り部Ｔ内に幅方向伸縮応力が変化する境界（例えば弾性部材の太さや伸長率が変化する）を有する場合は、最もウエスト開口ＷＯ側の境界よりもウエスト開口ＷＯ側がウエスト部Ｗとなり、このような境界が無い場合は吸収体５６又は内装体２００よりもウエスト開口ＷＯ側がウエスト部Ｗとなる。これらの縦方向の長さは、製品のサイズによって異なり、適宜定めることができるが、一例を挙げると、ウエスト部Ｗは１５〜４０ｍｍ、ウエスト下方部Ｕは６５〜１２０ｍｍとすることができる。一方、中間部Ｌの両側縁は被着者の脚周りに沿うように括れており、ここが着用者の脚を入れる部位となる。この結果、外装体１２は、全体としては略砂時計形状をなしている。外装体１２の括れの程度は適宜定めることができ、図１〜図６に示す形態のように、すっきりとした外観とするために最も幅が狭い部分では内装体２００の幅より狭くすることが好ましいが、最も幅が狭い部分でも内装体２００の幅以上となるように定めてもよい。
【００５８】
外装体１２は、図３〜図５に示されるように、弾性部材１９の外側に隣接する第１シート層１２Ｓと、弾性部材１９の内側に隣接する第２シート層１２Ｈとを有している。第１シート層１２Ｓ及び第２シート層１２Ｈの素材は特に限定されるものではないが、不織布を好適に用いることができる。不織布としては、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような製法によって製造されたものであってもよい。柔軟性を重視する場合には、第１シート層１２Ｓ及び第２シート層１２Ｈの少なくとも一方として、ポリプロピレン（ＰＰ）又はそのコポリマー（例えばポリエチレンや、エチレンを共重合成分として配合したコポリマー）の不織布（以下、ＰＰ系不織布ともいう）や、ポリエチレン（ＰＥ）を鞘に、ポリプロピレン（ＰＰ）を芯成分にした芯鞘繊維（ＰＥ／ＰＰ）の不織布を用いるのが好ましい。加工方法としては、公知の方法、例えば、スパンレース法、スパンボンド法、サーマルボンド法、メルトブローン法、ニードルパンチ法、エアスルー法、ポイントボンド法等を例示することができる。特に、強度及び柔軟性に優れている点からスパンボンド不織布が好ましく、特にスパンボンド層を複数積層してなるスパンボンド不織布、例えばＳＳ不織布（二層）や、ＳＳＳ不織布（三層）を好適に用いることができ、四層以上のものを用いることもできる。また、不織布の厚みや目付けは特に限定されないが、厚みは０．１〜１ｍｍ、目付は１０〜２０ｇ／ｍ2程度であることが望ましい。
【００５９】
第１シート層１２Ｓ及び第２シート層１２Ｈは、一枚のシート材が折り返されて積層された一方の層と他方の層であっても、またそれぞれ別々のシート材からなる層であっても良く、さらにこれらの両方であっても良い。さらに、第１シート層１２Ｓ及び第２シート層１２Ｈの少なくとも一方は、その一部が他の部分と異なるシート材により形成されていても良い。図示形態の外装体１２は、前身頃のウエスト開口ＷＯの縁から後身頃のウエスト開口の縁まで延びる外面側部分、及び前身頃のウエスト開口ＷＯの縁で内側に折り返された折り返し部分１２ｒ（内装体２００のウエスト開口ＷＯ側の端部を被覆するように延びている）を有する第１シート材と、第１シート材の外面側部分の内側に接合された第２シート材とを有しており、これら第１シート材及び第２シート材が第１シート層１２Ｓ及び第２シート層１２Ｈをそれぞれ形成しているが、これに限られるものではない。例えば、図示しないが、ウエスト部Ｗでは第１シート材の外面側部分及び折り返し部分１２ｒが第１シート層１２Ｓ及び第２シート層１２Ｈをそれぞれ形成し、ウエスト下方部Ｕ及び中間部Ｌでは第１シート材及び第２シート材が第１シート層１２Ｓ及び第２シート層１２Ｈをそれぞれ形成する形態とすることもできる。
【００６０】
また、外装体１２には、身体へのフィット性を高めるために、吸収体５６よりもウエスト開口ＷＯ側に幅方向に連続する連続伸縮領域２３を有するとともに、吸収体５６を有する前後方向範囲に、幅方向中間に設けられた非伸縮領域２１と、この非伸縮領域２１の幅方向両側に設けられた間欠伸縮領域２２とを有しており、連続伸縮領域２３及び間欠伸縮領域２２における第１シート層１２Ｓ及び第２シート層１２Ｈ間には、糸ゴム等の細長状の弾性部材１９（１５〜１７）が幅方向に沿って所定の伸長率で取り付けられて、幅方向に伸縮可能（幅方向が伸縮方向）とされている。弾性部材１９としては、合成ゴムを用いても、天然ゴムを用いても良い。図示形態における非伸縮領域２１及び間欠伸縮領域２２を有する前後方向範囲の一部又は全部について、幅方向全体にわたり連続伸縮領域２３としたり、図示形態における非伸縮領域２１の前後方向範囲をウエスト側又は股間側に拡大したりしても良い。
【００６１】
図示形態についてより詳細に説明すると、まず外装体１２のウエスト部Ｗは連続伸縮領域２３とされており、第１シート層１２Ｓ及び第２シート層１２Ｈ間には、幅方向全体にわたり連続するように、複数のウエスト部弾性部材１７が前後方向に間隔を空けて、かつ所定の伸長率で幅方向に沿って伸長された状態で取り付けられている。ウエスト部弾性部材１７のうちウエスト下方部Ｕに隣接する部分に配設される１本又は複数本については吸収体５６と重なっていてもよい。ウエスト部Ｗにおけるウエスト下方部Ｕに隣接する部分は、ウエスト下方部Ｕと同様に非伸縮領域２１及び間欠伸縮領域２２を有する領域としても良い。ウエスト部弾性部材１７としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、５〜２０ｍｍ、特に８〜１６ｍｍの間隔で３〜２２本程度、それぞれ伸長率１５０〜４００％、特に２２０〜３２０％程度で取り付けるのが好ましい。また、ウエスト部弾性部材１７は、その全てを同じ太さと伸長率にする必要はなく、例えばウエスト部Ｗの上部と下部で弾性部材の太さと伸長率が異なるようにしてもよい。
【００６２】
また、外装体１２のウエスト下方部Ｕの第１シート層１２Ｓ及び第２シート層１２Ｈ間には、非伸縮領域２１を除いて、その上側及び幅方向両側の各部位に、幅方向全体にわたり連続するように、細長状弾性部材からなるウエスト下方部弾性部材１５が複数本、前後方向に間隔を空けて、かつ所定の伸長率で幅方向に沿って伸長された状態で取り付けられている。ウエスト下方部弾性部材１５としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、５〜２０ｍｍ、特に８〜１６ｍｍの間隔で５〜３０本程度、それぞれ伸長率２００〜３５０％、特に２４０〜３００％程度で取り付けるのが好ましい。
【００６３】
さらに、外装体１２の中間部Ｌにおける第１シート層１２Ｓ及び第２シート層１２Ｈ間には、非伸縮領域２１を除いて、その幅方向両側の各部位に、幅方向全体にわたり連続するように、細長状弾性部材からなる中間部弾性部材１６が複数本、前後方向に間隔を空けて、かつ所定の伸長率で幅方向に沿って伸長された状態で取り付けられている。中間部弾性部材１６としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、５〜２０ｍｍ、特に８〜１６ｍｍの間隔で２〜１０本程度、それぞれ伸長率１５０〜３００％、特に１８０〜２６０％で取り付けるのが好ましい。
【００６４】
なお、図示形態の間欠伸縮領域２２のように、外装体１２に設けられる弾性部材１９（図示形態ではウエスト下方部弾性部材１５及び中間部弾性部材１６）が、非伸縮領域２１を除いてその幅方向両側にそれぞれ設けられていると、当該非伸縮領域２１において吸収体５６の幅方向収縮が防止される。よって、非伸縮領域２１は、吸収体５６と幅方向に重なる部分の一部又は全部を含む幅方向中間（好ましくは内装体２００と外装体１２との接合領域２０１の全体を含む）の領域とされ、その幅方向両側におけるサイドシール部１２Ａまでの幅方向全体が間欠伸縮領域２２とされることが好ましい
【００６５】
（外装体分割構造）
図１〜図７に示す例では、前身頃Ｆから後身頃Ｂまでを一体的な外装体１２により連続的に覆っているが、図８〜図１０に示す例のように、外装体１２Ｆ，１２Ｂは、前身頃Ｆを構成する部分である前側外装体１２Ｆと、後身頃Ｂを構成する部分である後側外装体１２Ｂとからなり、前側外装体１２Ｆ及び後側外装体１２Ｂは股間側で連続しておらず、前後方向ＬＤに離間されている形態とすることもできる。この離間距離１２ｄは１５０〜２５０ｍｍ程度とすることができる。この離間部分における内装体２００の裏面の露出部分の一部（例えば前側外装体１２Ｆと後側外装体１２Ｂとの間に露出する部分の前後方向全体にわたるが、内装体２００の前後端まで延びず、また幅方向ＷＤの両側縁も内装体２００の両側縁までは達しない程度）又は全体を覆うように、股間部カバーシート１２Ｍを貼り付けることが望ましいが、省略することもできる。股間部カバーシート１２Ｍとしては、前述した第１シート層及び第２シート層に用いられるものと同様の素材を用いることができる。
【００６６】
（伸縮構造について）
本パンツタイプ使い捨ておむつにおいては、ウエスト部Ｗから中間部Ｌにかけての領域、図２〜７、及び図８〜１０に示すように、第１シート層１２Ｓ及び第２シート層１２Ｈの間に、幅方向（伸縮方向）に沿ってかつ互いに間隔を空けて設けられた複数本の細長状の弾性部材１９が設けられており、伸縮領域２２，２３の幅方向の端部２０で弾性部材１９を第１シート層１２Ｓ及び第２シート層１２Ｈの少なくとも一方に固定するための第１ホットメルト接着剤７１の接着領域と、第１ホットメルト接着剤７１の接着領域以外で、第１シート層１２Ｓ及び第２シート層１２Ｈを接着する第２ホットメルト接着剤７２の接着領域とを有している。
【００６７】
（弾性部材の接着）
より詳細には、連続伸縮領域２３の幅方向の両端部２０は製品の幅方向の両端部となり、ウエスト部弾性部材１７はこの製品の幅方向の両端部に位置する第１ホットメルト接着剤７１の接着領域で、第１シート層１２Ｓ及び第２シート層１２Ｈの少なくとも一方に固定される。一方、間欠伸縮領域２２の幅方向の両端部２０は、一方は製品の幅方向の端部２０に位置し、他方は非伸縮領域に隣接する端部２０となり、ウエスト下方部弾性部材１５はこれら端部２０に位置する第１ホットメルト接着剤７１の接着領域で、また中間部弾性部材１６非伸縮領域に隣接する端部に位置する第１ホットメルト接着剤７１の接着領域で、第１シート層１２Ｓ及び第２シート層１２Ｈの少なくとも一方に固定される。
【００６８】
この形態では、中間部Ｌの幅方向両側が脚周りに沿って切断されているため、ウエスト下方部Ｕのみが本発明の伸縮構造となっているが、製造に際しては後述する形成方法によりウエスト下方部Ｕ及び中間部Ｌにわたる伸縮構造を一体的に形成することができる。すなわち、ウエスト下方部Ｕにおいては、幅方向に隣り合う第１ホットメルト接着剤７１の接着領域の間隔７１ｄが、計３か所すべて同じであるとともに、製品の幅方向の両端部に位置する第１ホットメルト接着剤７１の接着領域の幅方向長さ７１ｗの２倍と、伸縮領域２２における非伸縮領域２１側の端部に位置する第１ホットメルト接着剤７１の接着領域の幅方向長さ７１ｗとが、計４か所すべて同じとなっている。この結果、後述するように、製造設備の始動時における第１ホットメルト接着剤７１の塗布位置の位置決めを誤ることがなくなり、製造が非常に容易になる。
【００６９】
一方、図８〜図１０に示す外装体分割構造の形態では、連続伸縮領域２３ではウエスト部弾性部材１７の幅方向全体にわたりウエスト部弾性部材１７と重なる位置にのみ配置された第１ホットメルト接着剤７１を介して第１シート層１２Ｓ及び第２シート層１２Ｈの少なくとも一方に固定されている。また、間欠伸縮領域２２では、ウエスト下方部弾性部材１５及び中間部弾性部材１６は、製品の幅方向の端部及び非伸縮領域に隣接する端部のそれぞれに位置する第１ホットメルト接着剤７１の接着領域で、第１シート層１２Ｓ及び第２シート層１２Ｈの少なくとも一方に固定されている。
【００７０】
この形態では、間欠伸縮領域２２の全体（ウエスト下方部Ｕ及び中間部Ｌ）の伸縮構造が本発明の伸縮構造となっており、この伸縮構造が後述する形成方法により一体的に形成することができる。すなわち、間欠伸縮領域２２では、幅方向に隣り合う第１ホットメルト接着剤７１の接着領域の間隔７１ｄが、計３か所すべて同じであるとともに、製品の幅方向の両端部に位置する第１ホットメルト接着剤７１の接着領域の幅方向長さ７１ｗの２倍と、伸縮領域２２における非伸縮領域２１側の端部に位置する第１ホットメルト接着剤７１の接着領域の幅方向長さ７１ｗとが、計４か所すべて同じとなっている。よって、この形態においても、後述するように、製造設備の始動時における第１ホットメルト接着剤７１の塗布位置の位置決めを誤ることがなくなり、製造が非常に容易になる。
【００７１】
第１ホットメルト接着剤７１は、図７、図１１及び図１３に示すように弾性部材１９と直交する方向に間欠的に、かつ弾性部材１９と重なる位置にのみ配置する他、図１０及び図１５に示すように複数の弾性部材１９の端部にわたるように前後方向に連続するパターンで配置することもできる。前者の場合、第１ホットメルト接着剤７１はコームガンやシュアラップノズル等の塗布手段により弾性部材１９の外周面にのみ塗布することが好ましく、後者の場合、第１ホットメルト接着剤７１は第１シート層１２Ｓ及び第２シート層１２Ｈの少なくとも一方に対してスロットコート、カーテンコート等により塗布することが好ましい。
【００７２】
なお、第１ホットメルト接着剤７１の接着領域に関して、幅方向に隣り合う接着領域の間隔７１ｄ、製品の幅方向の両端部に位置する接着領域の幅方向長さ７１ｗ、及び伸縮領域における非伸縮領域側の端部に位置する接着領域の幅方向長さ７１ｗは、適宜定めれば良い。通常の場合、幅方向に隣り合う接着領域の間隔７１ｄは伸縮領域２２の幅方向長さの４５〜９５％程度とすることが好ましく、具体的な長さとしては６５〜１３０ｍｍとすることが好ましい。また、伸縮領域２２における非伸縮領域２１側の端部に位置する接着領域の幅方向長さ７１ｗは、伸縮領域２２のＭＤ方向長さの５〜３５％程度とすることが好ましく、具体的な長さとしては８〜５０ｍｍとすることが好ましい。製品の幅方向の両端部に位置する接着領域の幅方向長さ７１ｗは、伸縮領域２２における非伸縮領域２１側の端部に位置する接着領域の幅方向長７１ｗさの１／２となる。
【００７３】
（第１シート層及び第２シート層の接合）
第１シート層１２Ｓ及び第２シート層１２Ｈを接合するための第２ホットメルト接着剤７２は、伸縮領域２２，２３の端部における弾性部材１９の固定部以外において第１シート層１２Ｓ及び第２シート層１２Ｈを接合する限り、どの程度の範囲にどのようなパターンで配置されていても良いが、図示形態のように、非伸縮領域２１、伸縮領域２２，２３の端部を含め伸縮構造の全体にわたり一様なパターンで設けられていることが好ましい。
【００７４】
例えば、図示しないが、弾性部材１９の外周面にコームガンやシュアラップノズル等の塗布手段により第２ホットメルト接着剤７２を塗布し、弾性部材１９と直交する方向に間欠的に、かつ弾性部材１９と重なる位置にのみ第２ホットメルト接着剤７２を配置しても良い。また、図示しないが、弾性部材１９と重ならないように、少なくとも前後方向に間欠的に、又は前後方向及び幅方向に間欠的に第２ホットメルト接着剤７２を配置しても良い。
【００７５】
図７、図１０、及び図１１〜図１６に示す形態のように、第２ホットメルト接着剤７２を介して第１シート層１２Ｓ及び第２シート層１２Ｈが接合されたシート接合部７０が、弾性部材１９の長手方向に間欠的、かつ弾性部材１９と交差する方向に連続的となる縞状のパターンで配置される交差方向連続接合形態は、綺麗に連続する襞８０が形成されるため一つの好ましい形態である。この形態では、弾性部材１９は、伸縮領域２２，２３の幅方向の両端部において少なくとも第１ホットメルト接着剤７１を介して第１シート層１２Ｓ及び第２シート層１２Ｈの少なくとも一方に固定されるとともに、シート接合部７０と交差する位置で第１シート層１２Ｓ及び第２シート層１２Ｈの少なくとも一方に第２ホットメルト接着剤７２を介して固定されることとなる。
【００７６】
そして、この交差方向連続接合形態では、弾性部材１９の収縮に伴い、図１１（ｂ）、図１３（ｂ）及び図１５（ｂ）にそれぞれ示すように、第１シート層１２Ｓ及び第２シート層１２Ｈにおけるシート接合部７０間に位置する部分がそれぞれ収縮し、互いに反対向きに膨らんで襞８０が形成される。図１１（ｂ）、図１３（ｂ）及び図１５（ｂ）は自然長の状態であるが、装着時にはこの状態から弾性部材１９がある程度まで伸長され、図１１（ｃ）、図１３（ｃ）及び図１５（ｃ）に示すように、襞８０の裾が広がり、それに伴い襞８０の高さ８０ｈが低くなる。また、この伸縮構造は、交差方向連続接合形態であるため、シート接合部７０に沿って真直ぐに延びる襞８０が形成され、通気性、見栄えに優れるものである。
【００７７】
図１１及び図１２に示す形態は、第１シート層１２Ｓにおける第２シート層１２Ｈ側の面に、伸縮方向には間欠的にかつ伸縮方向と交差する方向には所定の幅で連続的に第２ホットメルト接着剤７２を塗布し、第２シート層１２Ｈにおける第１シート層１２Ｓ側の面には、第２ホットメルト接着剤７２を塗布せずに、第１シート層１２Ｓ及び第２シート層１２Ｈ間に弾性部材１９を伸長状態で挟み、第１シート層１２Ｓ及び第２シート層１２Ｈ、並びに第１シート層１２Ｓ及び弾性部材１９をそれぞれ第２ホットメルト接着剤７２により接合したものである。この場合、シート接合部７０と弾性部材１９とが交差する部分のうち、弾性部材１９の第１シート層１２Ｓ側で第２ホットメルト接着剤７２が伸縮方向と交差する方向に連続することにより弾性部材１９が第２ホットメルト接着剤７２を介して第１シート層１２Ｓに固定されるとともに、弾性部材１９の第２シート層１２Ｈ側では第２ホットメルト接着剤７２が伸縮方向と交差する方向に不連続となる。図１２（ｅ）中にはこの不連続となる部分を符号７３により示している。第２シート層１２Ｈにおいて第２ホットメルト接着剤７２が間欠的に存在することより第２シート層１２Ｈの柔軟性の低下、ひいては第１シート層１２Ｓ及び第２シート層１２Ｈの全体としての柔軟性の低下を抑制できる。また、弾性部材１９はシート接合部７０と交差する部分では第１シート層１２Ｓ側だけ第２ホットメルト接着剤７２が連続するとはいえ、弾性部材１９の両側はシート接合部７０により第１シート層１２Ｓ及び第２シート層１２Ｈが一体化しているから、弾性部材１９の収縮力は第１シート層１２Ｓ及び第２シート層１２Ｈの実質的に同一に作用し、第１シート層１２Ｓ及び第２シート層１２Ｈの両者に均等な襞を形成することができる。
【００７８】
なお、第１シート層１２Ｓ及び第２シート層１２Ｈに同様のパターンで接着剤７１を塗布することも可能である。この場合、図１３及び図１４に示すように、シート接合部７０と弾性部材１９とが交差する部分のうち、弾性部材１９の第１シート層１２Ｓ側及び第２シート層１２Ｈ側の両方で第２ホットメルト接着剤７２が伸縮方向と交差する方向に所定の幅で連続するため、弾性部材１９をより強固に固定できる利点がある。また、図示しないが第２シート層１２Ｈに第２ホットメルト接着剤７２を塗布し、第１シート層１２Ｓには第２ホットメルト接着剤７２を塗布せずに弾性部材１９を挟み込んで固定することも可能である。ただし、これらの形態は、第２シート層１２Ｈにおいて第２ホットメルト接着剤７２が連続するため、肌に接触させる第２シート層１２Ｈそのものの柔軟性の低下だけでなく、その柔軟性の低下部分が弾性部材１９により肌に押し付けられるため、あまり好ましくない。よって、図１１及び図１２に示す形態のように第２シート層１２Ｈのように装着者の肌に接触する面を有する側は第２ホットメルト接着剤７２が連続しないことが望ましい。
【００７９】
このような形態では、各シート接合部７０の伸縮方向の幅７０ｗは０．５〜４ｍｍ（特に０．５〜１ｍｍ）とされ、隣り合うシート接合部７０の間隔７０ｄが４〜８ｍｍ（特に５〜７ｍｍ）とされていると好ましい。基本的に、シート接合部７０の伸縮方向の幅７０ｗが狭すぎると第２ホットメルト接着剤７２の塗布が困難となり、広すぎると柔軟性が低下する。さらに、各シート接合部７０の伸縮方向の幅７０ｗは隣り合う襞８０の間隔に影響を及ぼすものであり、交差方向連続接合形態のように、形成される襞８０が薄い場合にこの幅が４ｍｍを超えると、隣り合う襞８０の間が広くなり過ぎ、個々の襞８０が独立した見栄えとなるだけでなく、厚み方向の圧縮力により襞８０が潰れ広がる、倒れる等の変形をするとき、隣り合う襞８０が支え合う作用が弱くなる結果、変形に対する抵抗あるいは変更後の復元も弱くなり、結果的にフンワリ感が不十分となってしまう。
【００８０】
しかも、単にシート接合部７０の伸縮方向の幅７０ｗを０．５〜４ｍｍとするだけで、隣り合うシート接合部７０の間隔７０ｄを４ｍｍ未満又は８ｍｍ超とした場合には次のようになる。すなわち、隣り合うシート接合部７０の間隔７０ｄは襞８０の高さ８０ｈや幅に影響するものであり、隣り合うシート接合部の間隔が２ｍｍ程度であると伸縮方向に連続固定した場合と同様の縦方向の連続性に乏しい襞８０となってしまい（伸縮方向に間欠的にシート接合部７０を設ける意味が無くなる）、３ｍｍでは襞８０は伸縮方向と直交する方向に真直ぐに延びるが、隣り合う襞８０が支え合う作用は期待できず、フンワリ感は不足する。また、シート接合部７０の間隔７０ｄが８ｍｍを超えると、包装時の圧縮により襞８０が不規則に潰れてしまい、製品の見栄えが悪くなる。これに対して、シート接合部７０の伸縮方向の幅７０ｗを０．５〜４ｍｍとし、かつシート接合部７０の間隔７０ｄを４〜８ｍｍとしたときに初めて、十分なフンワリ感が得られ、また、包装時の圧縮により襞８０が不規則に潰れにくいものとなる。
【００８１】
なお、シート接合部７０の幅７０ｗは柔軟性を高めるためには狭く、例えば１ｍｍ以下とすることが望ましいが、第２ホットメルト接着剤７２による弾性部材１９の固定力の低下は避けられないため、前述のように伸縮領域２２，２３の端部では弾性部材１９をより保持力の高い第１ホットメルト接着剤７１を介して固定することは非常に重要となる。
【００８２】
隣り合う弾性部材１９の間隔１９ｄは適宜定めることができるが、１０ｍｍを超えると、縦方向間欠接合形態ほどではないが、襞８０の厚みが伸縮方向と交差する方向に変化し、もこもことしてくるため、本発明では、隣り合う弾性部材１９の間隔１９ｄは１０ｍｍ以下、特に３〜７ｍｍとすることが好ましい。
【００８３】
シート接合部７０（第２ホットメルト接着剤７２）の形状は適宜定めることができ、波状としたり、弾性部材１９に対して斜め方向に延びる形状としたりすることもできるが、弾性部材１９に対して直交する方向に直線的に延びる形状とすることが好ましい。
【００８４】
第２ホットメルト接着剤７２に代えて、第１シート層１２Ｓ及び第２シート層１２Ｈをヒートシールや超音波シールにより直接溶着して接合することができる。この場合、伸縮領域２２，２３の端部に配置される第１ホットメルト接着剤７１の接着領域以外には、第１シート層１２Ｓ及び第２シート層１２Ｈ間にホットメルト接着剤を有しないものとなる。
【００８５】
（ホットメルト接着剤）
第１ホットメルト接着剤７１及び第２ホットメルト接着剤７２としては、例えばＥＶＡ系、粘着ゴム系（エラストマー系）、オレフィン系、ポリエステル・ポリアミド系などの種類のものが存在し、特に限定無く使用できる。第１ホットメルト接着剤７１及び第２ホットメルト接着剤７２として同種のものを用いることもできるが、第１ホットメルト接着剤７１の保持力は、第２ホットメルト接着剤７２の保持力よりも高いことが好ましい。特に、第１ホットメルト接着剤７１の保持力が１２０分超であるのが好ましく、第２ホットメルト接着剤７２の保持力は３０〜９０分であるのが好ましい。このように、第１ホットメルト接着剤７１の保持力が、第２ホットメルト接着剤７２の保持力よりも高いものであると、伸縮領域２２，２３の端部では弾性部材１９をより強固に固定し、伸縮領域２２，２３の端部以外の領域ではより柔軟に第１シート層１２Ｓ及び第２シート層１２Ｈを接合することができる。この場合、伸縮領域２２，２３の端部における弾性部材１９が第１ホットメルト接着剤７１により固定された部分についてはより硬い肌触りとなるものの、その影響は局所的となる。そして、伸縮領域２２，２３の端部では弾性部材１９が強固に固定されているため、それ以外の領域における第２ホットメルト接着剤７２は弾性部材１９の固定機能を殆ど担う必要がなく、第１シート層１２Ｓ及び第２シート層１２Ｈを接合できれば足りるため、保持力がより低いものでも問題がなく、かえって主たる伸縮領域がより柔軟になるという利点がもたらされる。
【００８６】
また、一般に溶融粘度の高いホットメルト接着剤は保持力が高いため、第１ホットメルト接着剤７１の溶融粘度は、第２ホットメルト接着剤７２の溶融粘度よりも高いことが望ましい。具体的には、第１ホットメルト接着剤７１は温度１４０℃における溶融粘度が１０，０００〜４０，０００ｍＰａ・ｓ、温度１６０℃における溶融粘度が５，０００〜１０，０００ｍＰａ・ｓのものが好ましく、第２ホットメルト接着剤７２は温度１４０℃における溶融粘度が３，０００〜７，０００ｍＰａ・ｓ、温度１６０℃における溶融粘度が１，０００〜４，０００ｍＰａ・ｓのものが好ましい。
【００８７】
また、ループタック粘着力が高いホットメルト接着剤は不織布同士の接着に適しているため、第２ホットメルト接着剤７２のループタック粘着力が、第１ホットメルト接着剤７１のループタック粘着力よりも高いことが望ましい。具体的には、第１ホットメルト接着剤７１のループタック粘着力は１０〜５００ｇ／２５ｍｍのものが好ましく、第２ホットメルト接着剤７２のループタック粘着力は１，０００ｇ／２５ｍｍ以上のものが好ましい。
【００８８】
さらに、第１ホットメルト接着剤７１の剥離強度が縦横ともに１００ｃＮ／２５ｍｍ以上であり、第２ホットメルト接着剤７２の剥離強度が縦横ともに１００ｃＮ／２５ｍｍ以上であると、より好ましい。
【００８９】
このような要件を満たす第１ホットメルト接着剤７１及び第２ホットメルト接着剤７２はホットメルト接着剤メーカーから容易に入手することができる。
【００９０】
第１ホットメルト接着剤７１及び第２ホットメルト接着剤７２の目付け（塗布量）は適宜定めることができるが、３〜３０ｇ／ｍ2の範囲内とすることが好ましく、特に１０〜２０ｇ／ｍ2の範囲内とすることが好ましい。
【００９１】
（第１ホットメルト接着剤及び第２ホットメルト接着剤の位置関係）
第１ホットメルト接着剤７１による各接着領域の少なくとも一部は、図１２、図１４、及び図１６に示すように、第２ホットメルト接着剤７２を介さずに弾性部材１９と第１シート層１２Ｓ及び第２シート層１２Ｈの少なくとも一方とを接着することが好ましい。第１ホットメルト接着剤７１の保持力が第２ホットメルト接着剤７２より高い場合であっても、接着対象間に第１ホットメルト接着剤７１の層及び第２ホットメルト接着剤７２の層が介在する場合（二重塗布の場合）、第２ホットメルト接着剤７２の層のみが介在する場合と比べるならば弾性部材１９の固定力は高くなるものの、第２ホットメルト接着剤７２の層が介在する分だけ当該層の凝集破壊が起こりやすく、弾性部材１９の固定力は低下するからである。
【００９２】
このため、弾性部材１９の通過位置において第１ホットメルト接着剤７１の位置と第２ホットメルト接着剤７２の位置とが重ならないように配置することも考えられる（図示略）。ただし、このように第１ホットメルト接着剤７１及び第２ホットメルト接着剤７２の位置を異なるものとする場合、それぞれ間欠的に塗布することが必要となり、その正確な位置制御は少なからず困難である。
【００９３】
よって、図７、図１０、及び図１１〜図１６に示すように、第２ホットメルト接着剤７２は少なくとも伸縮方向に間欠的なパターンで、伸縮領域２２，２３の端部を含めて配置（二重塗布）し、伸縮領域２２，２３の端部では第１ホットメルト接着剤７１を各第２ホットメルト接着剤７２の幅よりも長く伸縮方向に連続させるのは好ましい形態である。これにより、第１ホットメルト接着剤７１の配置部分において、第１ホットメルト接着剤７１及び第２ホットメルト接着剤７２の重なる二重部分が一部形成されるものの、第２ホットメルト接着剤７２間に第１ホットメルト接着剤７１の一重部分も確実に形成されるため、弾性部材１９を第１ホットメルト接着剤７１のみを介して接着することができる。この場合における第１ホットメルト接着剤７１の連続幅７１ｗは適宜定めれば良いが、第２ホットメルト接着剤７２の幅７２ｗの５倍以上であることが好ましく、また、隣接する第２ホットメルト接着剤７２の伸縮方向の間隔７２ｄの１．５倍以上、特に２倍以上であることが好ましい。通常の場合、第１ホットメルト接着剤７１が第２ホットメルト接着剤７２を介さずに弾性部材１９を接着する部分の総幅は５〜３０ｍｍ程度とすることが好ましい。また、第２ホットメルト接着剤７２の好ましい間欠パターンとしては後述する交差方向連続接合形態を例示することができる。
【００９４】
＜伸縮構造の形成方法＞
図１７は、パンツタイプ使い捨ておむつの製造における組立工程の要部を示している。すなわち、第１シート層１２Ｓ及び第２シート層１２ＨをＭＤ方向に連続的に移送しつつ、第１シート層１２Ｓ及び第２シート層１２Ｈ間に弾性部材１９をＭＤ方向に連続的に挟み、弾性部材１９を第１シート層１２Ｓ及び第２シート層１２Ｈの少なくとも一方に固定した後、伸縮領域２２と弾性部材１９を切断した非伸縮領域２１とがＭＤ方向に交互に３繰り返し、かつＭＤ方向の両端が伸縮領域２２となる単位伸縮構造２５を、ＭＤ方向に繰り返し形成する工程を経て、図示しないが、ＣＤ方向一方側の前身頃とＣＤ方向他方側の後身頃を合わせるように折り畳んだ後、サイドシール部１２Ａを形成するとともに、個々の製品となる部分の境界１０１で切断する。なお、図１７に示されるフローは、図１０に示すのと同様の外装二分割タイプのパンツタイプ使い捨ておむつの製造を想定したものである。
【００９５】
弾性部材１９の固定に際しては、図１８に示すように、ＭＤ方向に隣接する一対の単位伸縮構造の伸縮領域の端部２０となる部分、及び伸縮領域２２，２３の非伸縮領域２１側の端部となる部分にそれぞれ配置した第１ホットメルト接着剤７１の塗布領域１１１〜１１３で、弾性部材１９を第１シート層１２Ｓ及び第２シート層１２Ｈの少なくとも一方に第１ホットメルト接着剤７１を介して固定する。第１ホットメルト接着剤７１の塗布は、弾性部材１９に対して行っても、また第１シート層１２Ｓ及び第２シート層１２Ｈの少なくとも一方に行ってもよい。なお、図１８では、分かりやすさのため、第２ホットメルト接着剤７２の図示を省略している。
【００９６】
第１シート層及び第２シート層の接合を前述のように第２ホットメルト接着剤により行う場合は、第１ホットメルト接着剤７１を弾性部材１９、又は第１シート層１２Ｓ及び第２シート層１２Ｈの少なくとも一方に塗布し、第２ホットメルト接着剤７２を第１シート層１２Ｓ及び第２シート層１２Ｈの少なくとも一方に塗布し、両シート層１２Ｓ，１２Ｈを張り合わせるのと同時に弾性部材１９を両シート層１２Ｓ，１２Ｈ間に挟み込めばよい。この場合、第２ホットメルト接着剤７２の塗布方式は特に限定されるものではないが、シート接合部７０の伸縮方向の幅７０ｗを細く、例えば１ｍｍ以下とする場合、第２ホットメルト接着剤７２の塗布幅が狭くなり、カーテンやベタ等のようにノズルから噴射する塗布方式による間欠塗布では塗布が困難なため、細幅塗布に好適なパターンコート（凸版方式での第２ホットメルト接着剤７２の転写）を採用することが望ましい。
【００９７】
図１９は、第２ホットメルト接着剤７２の塗布にパターンコートを用いた製造フローの一例を示している。すなわち、このパターンコート式の設備例は、第２シート層１２Ｈと、第２シート層１２Ｈ側の面に第２ホットメルト接着剤７２を塗布した第１シート層１２Ｓとの間に弾性部材１９を挟むようにして、一対のニップロール１２１間に送り込み、圧着させて図１１及び図１２に示す伸縮構造を形成するものである。第１シート層１２Ｓは、ニップロール１２１に送り込まれる前に、前述のシート接合部７０と対応する凸パターン、つまり外周面上に周方向に（搬送方向、ＭＤ方向。伸縮方向となる方向である。）に間欠的、かつ軸方向（搬送方向と交差する方向、ＣＤ方向）に連続的となる縞状の凸パターンを有する版ロール１２２と接触され、版ロール１２２の凸パターン上に保持された第２ホットメルト接着剤７２が転写塗布される。符号１２３は版ロール１２２の凸パターンに第２ホットメルト接着剤７２を所定の厚さで転写塗布するためのホットメルト接着剤供給ロール（凸版印刷におけるアニロックスロール）を示しており、符号１２４はホットメルト接着剤供給ロール１２３に第２ホットメルト接着剤７２を供給する供給ノズルを示している。
【００９８】
図示形態では、弾性部材１９の固定端部を固定するための第１ホットメルト接着剤７１は、弾性部材１９と直交する方向に間欠的に、かつ弾性部材１９と重なるように配置するために、圧着位置よりも上流側における弾性部材１９の搬送過程で、その搬送位置に配置されたノズル１２５から弾性部材１９の外周面に搬送方向に間欠的に塗布するようになっているが、パターンコートやスプレー、カーテンコート等の適宜のノズルにより、第１シート層１２Ｓ及び第２シート層１２Ｈの少なくとも一方に対して搬送方向に間欠的に塗布しても良い。
【００９９】
単位伸縮構造をＭＤ方向に繰り返し形成する際、非伸縮領域２１をＭＤ方向に間欠的に形成する。非伸縮領域２１は、弾性部材１９を第１シート層１２Ｓ及び第２シート層１２Ｈの少なくとも一方に固定した後、非伸縮領域２１とする領域において、弾性部材１９を幅方向中間の１か所又は複数か所で切断するか、又は弾性部材１９のほぼ全体を細かく切断し、伸縮領域２２に伸縮性を残しつつ非伸縮領域２１では伸縮性を殺すことにより構築することができる。弾性部材１９の切断は、加圧のみで切断したり、また加圧しつつ加圧部位を加熱して切断したり、公知の方法を特に限定なく使用できる。図１７に示す例では、切断凸部８２を有する加圧部８１を外周面に備え、切断凸部８２が所望の温度に加熱されるシールロール８３と、これに対向配置された表面平滑なアンビルロール９０とにより、第１シート層１２Ｓ及び第２シート層１２Ｈ間に弾性部材１９を取り付けた切断対象を挟み、切断凸部８２とアンビルロール９０の外周面との間に挟まれる部位のみ弾性部材１９を加圧及び加熱して切断するものである。図示しないが、複数か所で切断する場合は、周方向の複数か所に切断凸部８２を有するシールロール８３を用いれば良い。
【０１００】
切断パターンとしては、例えば図２０（ａ）（ｂ）に示すように、非伸縮領域２１のＭＤ方向中間の１か所で弾性部材を切断するパターンのほか、図２０（ｃ）に示すように、非伸縮領域２１のＭＤ方向の多数個所で弾性部材のほぼ全体を細かく切断するパターンを採用することができる。前者の場合、製品では、非伸縮領域２１における第１シート層１２Ｓ及び第２シート層１２Ｈ間に、間欠伸縮領域２２の弾性部材１９から連続する切断残部のみが不要弾性部材１９ｒとして残り、溶融跡１２ｖが一本だけ切断痕跡として残ることになる。後者の場合、製品では、非伸縮領域２１における第１シート層１２Ｓ及び第２シート層１２Ｈ間に、間欠伸縮領域２２の弾性部材１９から連続する切断残部、及び両方の間欠伸縮領域２２の弾性部材１９と連続しない弾性部材の切断片が、不要弾性部材１９ｒとして前後方向及び幅方向に間欠的に残り、溶融跡１２ｖが切断痕跡として前後方向及び幅方向に間欠的に残ることになる。
【０１０１】
なお、非伸縮領域２１にはシート接合部７０を設けなくても良いが、第１シート層１２Ｓが第２シート層１２Ｈに対してずれたり、浮いたりするのは好ましくないため、第２ホットメルト接着剤７２によるシート接合部７０を設けるのが好ましい。非伸縮領域２１のシート接合部７０は、２枚のシート層１２Ｓ，１２Ｈが接合される限り特に限定されるものではないが、前述の交差方向連続接合形態で形成されていると、非伸縮領域２１における不要弾性部材１９ｒが２枚のシート層１２Ｓ，１２Ｈに対してホットメルト接着剤により固定されるため好ましい。
【０１０２】
製造容易性及び製造安定性の観点からは、図７及び図１０に示すように、非伸縮領域２１における第２ホットメルト接着剤７２によるシート接合部７０の形状、寸法、数、及び配置等は、間欠伸縮領域２２における第２ホットメルト接着剤７２によるシート接合部７０と同様とすることが望ましい。もちろん、非伸縮領域２１における第２ホットメルト接着剤７２によるシート接合部７０の形状、寸法、数、及び配置等は、間欠伸縮領域２２における第２ホットメルト接着剤７２によるシート接合部７０と異なるものとしても良い。
【０１０３】
（第１ホットメルト接着剤の塗布）
特徴的には、図１８に示すように、第１ホットメルト接着剤７１の塗布に際し、ＭＤ方向に隣り合う塗布領域の間隔７１ｄはすべて同じとし、かつ塗布領域のＭＤ方向長さ７１ｗをすべて同じとする。これにより、製造設備の始動時における第１ホットメルト接着剤７１の塗布位置の位置決めにおいて、始点となる塗布領域を誤る状況が原理的に発生しない。すなわち、前述のパンツタイプ使い捨ておむつを製造する場合、第１ホットメルト接着剤７１は、個々の製品となる部分の境界１０１のＭＤ方向両側にわたる第１塗布領域１１１、伸縮領域２２から非伸縮領域２１に変化する境界１０２の伸縮領域２２側に隣接する第２塗布領域１１２、及び非伸縮領域２１から伸縮領域２２に変化する境界１０３の伸縮領域２２側に隣接する第３塗布領域１１３を１サイクルとして塗布することとなり、その際、各塗布領域１１１〜１１３の間隔７１ｄ及びＭＤ方向寸法７１ｗ（伸縮方向寸法）が同じであると、始点となる塗布領域１１１〜１１３を区別する必要がなくなり、どの塗布領域１１１〜１１３を始点としても、非伸縮領域２１における弾性部材１９の切断位置ＣＴに対する所定位置に確実に第１ホットメルト接着剤７１を塗布することができるようになる。よって、製造設備の始動時における第１ホットメルト接着剤７１の塗布位置の位置決めを誤ることがなくなり、製造が非常に容易になる。
【０１０４】
なお、第１ホットメルト接着剤におけるＭＤ方向に隣り合う塗布領域の間隔７１ｄ、及び塗布領域のＭＤ方向長さ７１ｗは適宜定めれば良い。通常の場合、ＭＤ方向に隣り合う塗布領域の間隔７１ｄは伸縮領域２２のＭＤ方向長さの４５〜９５％程度とすることが好ましく、具体的な長さとしては６５〜１３０ｍｍとすることが好ましい。また、塗布領域のＭＤ方向長さ７１ｗは伸縮領域２２のＭＤ方向長さの５〜３５％程度とすることが好ましく、具体的な長さとしては８〜５０ｍｍとすることが好ましい。
【０１０５】
＜その他＞
図７及び図１０に示される例は、パンツタイプ使い捨ておむつの外装体１２の主にウエスト下方部Ｕに本発明の伸縮構造を適用したものであるが、図示しないがウエスト部Ｗまで含め外装体１２の伸縮構造の前後方向の全体にわたり本発明の伸縮構造を適用することができる。また、上述のパンツタイプ使い捨ておむつの伸縮構造は、その一端から他端にかけて伸縮領域２２、非伸縮領域２１、伸縮領域２２の順に３領域を有するものであるが、伸縮領域２２及び非伸縮領域２１が交互に繰り返し、伸縮方向の両端が伸縮領域２２となる限り、３領域以上繰り返していてもよい。また、上述の伸縮構造は、立体ギャザー、テープタイプ使い捨ておむつの背側部分の胴周り部、脚周り部若しくはファスニングテープ等、他の伸縮部にも適用することができる。
【０１０６】
＜明細書中の用語の説明＞
明細書中で以下の用語が使用される場合、明細書中に特に記載が無い限り、以下の意味を有するものである。
・「前後（縦）方向」とは腹側（前側）と背側（後側）を結ぶ方向を意味し、「幅方向」とは前後方向と直交する方向（左右方向）を意味する。
【０１０７】
・「ＭＤ方向」及び「ＣＤ方向」とは、製造設備における流れ方向（ＭＤ方向）及びこれと直交する横方向（ＣＤ方向）を意味し、いずれか一方が前後方向となるものであり、他方が幅方向となるものである。不織布のＭＤ方向は、不織布の繊維配向の方向である。繊維配向とは、不織布の繊維が沿う方向であり、例えば、ＴＡＰＰＩ標準法Ｔ４８１の零距離引張強さによる繊維配向性試験法に準じた測定方法や、前後方向及び幅方向の引張強度比から繊維配向方向を決定する簡易的測定方法により判別することができる。
【０１０８】
・「展開状態」とは、収縮や弛み無く平坦に展開した状態を意味する。
【０１０９】
・「伸長率」は、自然長を１００％としたときの値を意味する。
【０１１０】
・「人工尿」は、尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％を混合したものであり、特に記載の無い限り、温度４０度で使用される。
【０１１１】
・「ゲル強度」は次のようにして測定されるものである。人工尿４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【０１１２】
・「目付け」は次のようにして測定されるものである。試料又は試験片を予備乾燥した後、標準状態（試験場所は、温度２０±５℃、相対湿度６５％以下）の試験室又は装置内に放置し、恒量になった状態にする。予備乾燥は、試料又は試験片を相対湿度１０〜２５％、温度５０℃を超えない環境で恒量にすることをいう。なお、公定水分率が０．０％の繊維については、予備乾燥を行わなくてもよい。恒量になった状態の試験片から米坪板(２００ｍｍ×２５０ｍｍ、±２ｍｍ)を使用し、２００ｍｍ×２５０ｍｍ（±２ｍｍ）の寸法の試料を切り取る。試料の重量を測定し、２０倍して１平米あたりの重さを算出し、目付けとする。
【０１１３】
・「厚み」は、自動厚み測定器（ＫＥＳ−Ｇ５  ハンディー圧縮試験機）を用い、荷重：１０ｇｆ／ｃｍ2、及び加圧面積：２ｃｍ2の条件下で自動測定する。
【０１１４】
・「吸水量」は、ＪＩＳ  Ｋ７２２３−１９９６「高吸水性樹脂の吸水量試験方法」によって測定する。
【０１１５】
・「吸水速度」は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
【０１１６】
・ホットメルト接着剤の「剥離強度」は、以下のようにして測定されるものである。すなわち、繊度１．４４ｄｔｅｘ、目付け１７ｇ／ｍ2のＰＰ繊維からなる疎水性スパンボンド不織布３０１を２枚（それぞれＭＤ方向１００ｍｍ以上×ＣＤ方向７５ｍｍ以上）用意し、一方の疎水性スパンボンド不織布３０１のＣＤ方向中央領域に２５ｍｍの塗布幅でＭＤ方向に連続的に、測定対象のホットメルト接着剤３０２を２０ｇ／ｍ2の塗布量で塗布し、このホットメルト接着剤３０２を介して他方の疎水性スパンボンド不織布３０１をＭＤ方向及びＣＤ方向を合わせて接着した後、その上から２ｋｇのローラーを１往復させて圧着させ、図２２に示す不織布接着体３００を作製する。次に、この不織布接着体３００から、図２２に点線で示す切断線で切断し、ＭＤ方向７５ｍｍ×ＣＤ方向２５ｍｍで全面が接着された縦方向試験片３１０と、ＭＤ方向２５ｍｍ×ＣＤ方向７５ｍｍで、ＣＤ方向両端から２５ｍｍの非接着部分３２１と、その間のＭＤ方向２５ｍｍ×ＣＤ方向２５ｍｍの接着部分３２２を有する横方向試験片３２０を作製する。そして、縦方向試験片３１０では、図２２に二点鎖線で示すように、ＭＤ方向一端から２５ｍｍの端部の両不織布を剥離（コールドスプレーを対象部分に吹き付けることにより対象部分の接着力を低下させて剥離する）してつかみ代３１１を形成し、各不織布のつかみ代３１１を引張試験機の上下つかみ具でそれぞれつかみ、つかみ具間隔３０ｍｍ、引張速度３００ｍｍ／ｍｉｎの条件で、図２３に示すように残りの接着部分３１２を剥離し、その引き剥がしに要する引張力（ｃＮ／２５ｍｍ）を測定する。横方向試験片３２０では、ＣＤ方向一端部の非接着部分３２１の各不織布を引張試験機の上下つかみ具でそれぞれつかむ以外は、縦方向試験片３１０と同様にして試験を行う。剥離部分の破壊状態を観察し、界面破壊（界面剥離）及び凝集破壊のときには、縦軸を引張力とする測定曲線のうち、剥離開始以降（曲線が上がり切った後）の波状部分から最初の５つの頂点及び最初の５つの底点を選び、各点の引張力の平均値を測定値とする。また、材料破壊（基材破壊）のときには、引張力の最大値を測定値とする。以上の測定を、縦方向試験片３１０及び横方向試験片３２０のそれぞれについて３回実施し、それぞれ３回の測定値を平均して縦の剥離強度及び横の剥離強度とする。
【０１１７】
・ホットメルト接着剤の「保持力」は、以下のようにして測定されるものである。すなわち、図２４に示すように、２５μｍ厚のＰＥＴフィルムを用意し、長さ１００ｍｍ×幅２５ｍｍの２枚の長方形のＰＥＴフィルム４０１の長手方向の端部（長手方向の一端から２５ｍｍの部分）同士を、測定対象のホットメルト接着剤層４０２を介して接着した試験片４００を作製する。試験片４００の接着部分４０３は２５ｍｍ×２５ｍｍとなる。このホットメルト接着剤層４０２はスロット塗布により２０ｇ／ｍ2の厚みで塗布し、接着後、接着部分４０３の上から２ｋｇのローラーを１往復させて圧着させた後、試験片４００を常温（２３℃）下で１６時間放置し、さらに図２５に示すように試験片４００の両端部のＰＥＴフィルム４０１を、厚み方向にネジで締め付けるつかみ具４０４でつかみ、接着部分４０３に力が加わらないように、クリープ試験機（恒温槽）内に４０℃で２時間放置する。その後、クリープ試験機内に、図２５に示すように一方のつかみ具４０４を上にして吊り下げ、他方のつかみ具４０４に錘４０５を吊るし、錘４０５及び錘側のつかみ具４０４の合計で１ｋｇの鉛直荷重をかけ、荷重をかけ始めた時から接着部分４０３が完全に剥がれ、錘４０５側のＰＥＴフィルムが剥がれ落ちるまでの時間を測定する。測定は１２０分までとし、１２０分経過までに錘が落下しなかったときには測定結果は「１２０分超」とする。以上の測定を３回行い、測定結果の平均値を保持力（分）とする。３回の測定結果に、１２０分超が１回、１２０分以下が２回あったときには、１２０分以下の２回の測定結果の平均値を保持力とし、１２０分超が２回、１２０分以下が１回あったときには、１２０分以下の１回の測定結果を保持力とし、３回とも１２０分超のときには保持力は１２０分超とする。
【０１１８】
・「ループタック粘着力」は、次のように測定される値を意味する。すなわち、ホットメルト接着剤を厚さが５０μｍのＰＥＴ板上に５０μｍの厚みで塗布する。これを、幅２５ｍｍ、長さ１２５ｍｍの大きさに切取り、テープ状とした後、そのテープの両端を重ね合わせることでループ状とする。このループを、ＬＴ−１００型ループタックテスター（ケムインストルメント社製）に固定した後、ＰＥ（ポリエチレン）板に対して、２５ｍｍ×２５ｍｍの接着面積で、接着時間２秒で接着する。次いで、２０℃で、引き剥がし速度３００ｍｍ／分でループ状のテープを引き剥がし、最大の力を測定し、ループタック粘着力とする。
【０１１９】
・「溶融粘度」は、ＪＩＳ  Ｚ  ８８０３に従い、ブルックフィールドＢ型粘度計（スピンドルＮｏ．０２７）を用いて、規定の温度で測定されるものである。
【０１２０】
・試験や測定における環境条件についての記載が無い場合、その試験や測定は、標準状態（試験場所は、温度２０±５℃、相対湿度６５％以下）の試験室又は装置内で行うものとする。
【０１２１】
・各部の寸法は、特に記載が無い限り、自然長状態ではなく展開状態における寸法を意味する。
【産業上の利用可能性】
【０１２２】
本発明は、上記例のようなパンツタイプ使い捨ておむつに好適なものであるが、テープタイプ若しくはパッドタイプの使い捨ておむつはもちろん、生理用ナプキン等、使い捨て着用物品全般における伸縮構造及びその製造方法に適用できるものである。
【符号の説明】
【０１２３】
１１…液不透過性シート、１２…外装体、１２Ａ…サイドシール部、１２Ｈ…第２シート層、１２Ｓ…第１シート層、１２ｒ…折り返し部分、１９…弾性部材、２０…伸縮領域の端部、２００…内装体、２１…非伸縮領域、２２，２３…伸縮領域、２２…間欠伸縮領域、２３…連続伸縮領域、３０…トップシート、４０…中間シート、５０…吸収要素、５６…吸収体、５８…包装シート、６０…立体ギャザー、６２…ギャザーシート、７０…シート接合部、７１…第１ホットメルト接着剤、７２…第２ホットメルト接着剤、８０…襞、ＣＴ…切断位置。
【手続補正２】
【補正対象書類名】特許請求の範囲
【補正対象項目名】全文
【補正方法】変更
【補正の内容】
【特許請求の範囲】
【請求項１】
第１シート層と、この第１シート層の一方の面に対向する第２シート層と、これら第１シート層及び第２シート層の間に設けられた弾性部材とを備えた、使い捨て着用物品の伸縮構造において、
前記伸縮構造は、その伸縮方向の一端から他端まで、伸縮領域及び非伸縮領域が交互に３領域以上繰り返し、かつ伸縮方向の両端が伸縮領域となっており、
前記伸縮領域の前記伸縮方向の両端部に、前記弾性部材が前記第１シート層及び第２シート層の少なくとも一方に接着されたホットメルト接着剤の接着領域を有しており、
展開状態で、
前記伸縮方向に隣り合う接着領域の間隔がすべて同じであるとともに、
前記伸縮構造の伸縮方向の両端部に位置する前記接着領域の伸縮方向長さの２倍と、前記伸縮領域における前記非伸縮領域側の端部に位置する前記接着領域の伸縮方向長さとがすべて同じである、
ことを特徴とする使い捨て着用物品の伸縮構造。
【請求項２】
前記使い捨て着用物品は、前身頃及び後身頃を構成する外装体と、この外装体に取り付けられた、吸収体を含む内装体とを備え、前身頃における外装体の両側部と後身頃における外装体の両側部とがそれぞれ接合され、この接合された部分と対応する前後方向範囲が環状の胴周り部となるとともに、ウエスト開口及び左右一対の脚開口が形成された、パンツタイプ使い捨ておむつであり、
前記伸縮構造は、前記外装体における胴周り部に、前記弾性部材が幅方向に沿うように設けられており、
前記非伸縮領域は前記胴周り部の幅方向中間部に設けられ、前記伸縮領域は前記非伸縮領域の幅方向両側に設けられている、
請求項１記載の使い捨て着用物品の伸縮構造。
【請求項３】
前記伸縮領域の前記伸縮方向の両端部におけるホットメルト接着剤の接着領域以外では、前記第１シート層及び第２シート層は少なくとも伸縮方向に間欠的に配置されたホットメルト接着剤を介して接着されているか、又は前記第１シート層及び第２シート層間にホットメルト接着剤を有しない、
請求項１又は２記載の使い捨て着用物品の伸縮構造。
【請求項４】
第１シート層及び第２シート層をＭＤ方向に連続的に移送しつつ、前記第１シート層及び第２シート層間に弾性部材をＭＤ方向に連続的に挟み、前記弾性部材を前記第１シート層及び第２シート層の少なくとも一方に固定した後、
伸縮領域と前記弾性部材を切断した非伸縮領域とがＭＤ方向に交互に３領域以上繰り返し、かつＭＤ方向の両端が伸縮領域となる単位伸縮構造を、ＭＤ方向に繰り返し形成し、ＭＤ方向に隣接する前記単位伸縮構造の境界で個々の伸縮構造に切断する、使い捨て着用物品の伸縮構造の形成方法において、
前記弾性部材の固定にあたり、
ＭＤ方向に隣接する一対の前記単位伸縮構造の伸縮領域の端部となる部分、及び前記伸縮領域の非伸縮領域側の端部となる部分にそれぞれ配置したホットメルト接着剤の塗布領域で、前記弾性部材を前記第１シート層及び第２シート層の少なくとも一方に前記ホットメルト接着剤を介して固定するとともに、
前記ＭＤ方向に隣り合う塗布領域の間隔をすべて同じとし、かつ
前記塗布領域のＭＤ方向長さをすべて同じとした、
ことを特徴とする使い捨て着用物品の伸縮構造の形成方法。
【請求項５】
前記使い捨て着用物品は、前身頃及び後身頃を構成する外装体と、この外装体に取り付けられた、吸収体を含む内装体とを備え、前身頃における外装体の両側部と後身頃における外装体の両側部とがそれぞれ接合され、この接合された部分と対応する前後方向範囲が環状の胴周り部となるとともに、ウエスト開口及び左右一対の脚開口が形成された、パンツタイプ使い捨ておむつであり、
前記伸縮構造は、前記外装体における胴周り部に、前記弾性部材が幅方向に沿うように設けられるものであり、
前記非伸縮領域は前記胴周り部の幅方向中間部に設けられ、前記伸縮領域は前記非伸縮領域の幅方向両側に設けられるものである、
請求項４記載の使い捨て着用物品の伸縮構造の形成方法。
【請求項６】
前記ＭＤ方向に隣接する一対の前記単位伸縮構造の伸縮領域の端部となる部分、及び前記伸縮領域の非伸縮領域側の端部となる部分の塗布領域以外で、前記第１シート層及び第２シート層を少なくともＭＤ方向に間欠的にホットメルト接着剤を介して接着するか、又は第１シート層及び第２シート層間にホットメルト接着剤を塗布しない、
請求項４又は５記載の使い捨て着用物品の伸縮構造の形成方法。
【手続補正４】
【補正対象書類名】図面
【補正対象項目名】図１７
【補正方法】変更
【補正の内容】
【図１７】
2018051180.tif 000028
【手続補正５】
【補正対象書類名】図面
【補正対象項目名】図１９
【補正方法】変更
【補正の内容】
【図１９】
2018051180.tif 000029